(57)【特許請求の範囲】
【請求項１】
ユーザ機器（ＵＥ）によるワイヤレス通信のための方法であって、
前記ＵＥとのセル間協調（ＣｏＭＰ）動作に関わる送信点のセットのうちの少なくとも１つから送信されるチャネル状態情報基準信号（ＣＳＩ−ＲＳ）を測定することと、
前記送信点のうちの少なくとも１つからの前記測定されたＣＳＩ−ＲＳに基づいて開ループ電力制御を実行することと
を備え、
前記送信点のセットのそれぞれから送信される前記ＣＳＩ−ＲＳは、異なる、方法。
【請求項２】
前記送信点のセットのうちの少なくとも１つからの前記測定されたＣＳＩ−ＲＳに基づいて開ループ電力制御を実行することは、
最強の測定されたＣＳＩ−ＲＳに基づいて開ループ電力制御を実行することを備える、請求項１に記載の方法。
【請求項３】
共通セルＩＤは、前記送信点のセットのそれぞれに対して使用される、請求項１に記載の方法。
【請求項４】
前記送信点のセットのそれぞれに対するＣＳＩ−ＲＳのロケーションまたは電力スペクトル密度（ＰＳＤ）のうちの少なくとも１つを示すシグナリングを受信することをさらに備える、請求項１に記載の方法。
【請求項５】
前記シグナリングは、システム情報ブロック（ＳＩＢ）の中で伝達される、請求項４に記載の方法。
【請求項６】
ワイヤレス通信のための装置であって、
前記装置とのセル間協調（ＣｏＭＰ）動作に関わる送信点のセットのうちの少なくとも１つから送信されるチャネル状態情報基準信号（ＣＳＩ−ＲＳ）を測定するための手段と、
前記送信点のうちの少なくとも１つからの前記測定されたＣＳＩ−ＲＳに基づいて開ループ電力制御を実行するための手段と
を備え、
前記送信点のセットのそれぞれから送信される前記ＣＳＩ−ＲＳは、異なる、装置。
【請求項７】
前記送信点のセットのうちの少なくとも１つからの前記測定されたＣＳＩ−ＲＳに基づいて開ループ電力制御を実行するための手段は、
最強の測定されたＣＳＩ−ＲＳに基づいて開ループ電力制御を実行するように構成される、請求項６に記載の装置。
【請求項８】
共通セルＩＤは、前記送信点のセットのそれぞれに対して使用される、請求項６に記載の装置。
【請求項９】
前記送信点のセットのそれぞれに対するＣＳＩ−ＲＳのロケーションまたは電力スペクトル密度（ＰＳＤ）のうちの少なくとも１つを示すシグナリングを受信するための手段をさらに備える、請求項６に記載の装置。
【請求項１０】
前記シグナリングは、システム情報ブロック（ＳＩＢ）の中で伝達される、請求項９に記載の装置。
【請求項１１】
ワイヤレス通信のための装置であって、
前記装置とのセル間協調（ＣｏＭＰ）動作に関わる送信点のセットのうちの少なくとも１つから送信されるチャネル状態情報基準信号（ＣＳＩ−ＲＳ）を測定し、
前記送信点のうちの少なくとも１つからの前記測定されたＣＳＩ−ＲＳに基づいて開ループ電力制御を実行する、ここで、前記送信点のセットのそれぞれから送信される前記ＣＳＩ−ＲＳは、異なる、
ように構成された少なくとも１つのプロセッサと、
前記少なくとも１つのプロセッサに結合されたメモリと
を備える、装置。
【請求項１２】
ワイヤレス通信のためのコンピュータプログラムであって、
ＵＥとのセル間協調（ＣｏＭＰ）動作に関わる送信点のセットのうちの少なくとも１つから送信されるチャネル状態情報基準信号（ＣＳＩ−ＲＳ）を測定し、
前記送信点のうちの少なくとも１つからの前記測定されたＣＳＩ−ＲＳに基づいて開ループ電力制御を実行する
ことを少なくとも１つのプロセッサに行わせるためのコードを備え、
前記送信点のセットのそれぞれから送信される前記ＣＳＩ−ＲＳは、異なる、コンピュータプログラム。
【請求項１３】
基地局によるワイヤレス通信のための方法であって、
開ループ（ＯＬ）電力制御においてユーザ機器（ＵＥ）による使用のために１つまたは複数のパラメータを決定することと、ここで、前記１つまたは複数のパラメータは、セル間協調（ＣｏＭＰ）動作を考慮に入れるように決定される、
前記１つまたは複数のパラメータを前記ＵＥにシグナリングすることと
を備える、方法。
【請求項１４】
前記ＣｏＭＰ動作は、異なるＤＬ送信点とＵＬ受信点とを備える、請求項１３に記載の方法。
【請求項１５】
前記１つまたは複数のパラメータのうちの少なくとも１つは、ランダムアクセスチャネル（ＲＡＣＨ）の低い初期送信電力を可能にするために低い値に設定されるＲＡＣＨに対して、前記基地局において受信された目標電力を表すパラメータを備える、請求項１３に記載の方法。
【請求項１６】
前記１つまたは複数のパラメータは、前記ＵＥと、ダウンリンク（ＤＬ）ＣｏＭＰ動作に関わる１つまたは複数の送信点およびアップリンク（ＵＬ）ＣｏＭＰ動作に関わる１つまたは複数の送信点との間のパスロスの間の差に基づいて、開ループ電力制御を調整するために決定される、請求項１３に記載の方法。
【請求項１７】
前記１つまたは複数のパラメータは、ＵＬマクロダイバーシティ利得または共同処理利得のうちの少なくとも１つを考慮に入れるように決定される、請求項１３に記載の方法。
【請求項１８】
前記１つまたは複数のパラメータは、ＤＬサービングノードとＵＬサービングノードとの間のパスロス差を表すパラメータを備える、請求項１３に記載の方法。
【請求項１９】
ワイヤレス通信のための装置であって、
セル間協調（ＣｏＭＰ）動作を考慮に入れるように決定される１つまたは複数のパラメータを、開ループ（ＯＬ）電力制御においてユーザ機器（ＵＥ）による使用のために決定するための手段と、
前記１つまたは複数のパラメータを前記ＵＥにシグナリングするための手段と
を備える、装置。
【請求項２０】
前記ＣｏＭＰ動作は、異なるＤＬ送信点とＵＬ受信点とを備える、請求項１９に記載の装置。
【請求項２１】
前記１つまたは複数のパラメータのうちの少なくとも１つは、ランダムアクセスチャネル（ＲＡＣＨ）の低い初期送信電力を可能にするために低い値に設定されるＲＡＣＨに対して、基地局において受信された目標電力を表すパラメータを備える、請求項１９に記載の装置。
【請求項２２】
前記１つまたは複数のパラメータは、前記ＵＥと、ダウンリンク（ＤＬ）ＣｏＭＰ動作に関わる１つまたは複数の送信点およびアップリンク（ＵＬ）ＣｏＭＰ動作に関わる１つまたは複数の送信点との間のパスロスの間の差に基づいて、開ループ電力制御を調整するために決定される、請求項１９に記載の装置。
【請求項２３】
前記１つまたは複数のパラメータは、ＵＬマクロダイバーシティ利得または共同処理利得のうちの少なくとも１つを考慮に入れるように決定される、請求項１９に記載の装置。
【請求項２４】
前記１つまたは複数のパラメータは、ＤＬサービングノードとＵＬサービングノードとの間のパスロス差を表すパラメータを備える、請求項１９に記載の装置。
【請求項２５】
ワイヤレス通信のための装置であって、
開ループ（ＯＬ）電力制御においてユーザ機器（ＵＥ）による使用のために１つまたは複数のパラメータを決定し、ここで、前記１つまたは複数のパラメータは、セル間協調（ＣｏＭＰ）動作を考慮に入れるように決定される、
前記１つまたは複数のパラメータを前記ＵＥにシグナリングする
ように構成された少なくとも１つのプロセッサと、
前記少なくとも１つのプロセッサに結合されたメモリと
を備える、装置。
【請求項２６】
ワイヤレス通信のためのコンピュータプログラムであって、
開ループ（ＯＬ）電力制御においてユーザ機器（ＵＥ）による使用のために１つまたは複数のパラメータを決定し、ここで、前記１つまたは複数のパラメータは、セル間協調（ＣｏＭＰ）動作を考慮に入れるように決定される、
前記１つまたは複数のパラメータを前記ＵＥにシグナリングする
ことを少なくとも１つのプロセッサに行わせるためのコードを備える、コンピュータプログラム。
【請求項２７】
基地局によるワイヤレス通信のための方法であって、
送信をＵＥから受信することと、
前記受信された送信に基づいて、セル間協調（ＣｏＭＰ）グループに含めるために１つまたは複数のセルを決定することと
を備え、
前記送信は、サウンディング基準信号（ＳＲＳ）を備え、前記決定は、異なるセルにおける前記ＳＲＳの受信された信号強度に基づいて行われる、方法。
【請求項２８】
最強の受信された信号強度を有するセルは、前記ＣｏＭＰグループに含まれる、請求項２７に記載の方法。
【請求項２９】
前記送信は、前記ＣｏＭＰグループに含めるためのセルを示す前記ＵＥからのフィードバックを備え、前記ＵＥは、前記示されるセルを、複数のセルから送信されたチャネル状態情報基準信号（ＣＳＩ−ＲＳ）に基づいて選択する、請求項２７に記載の方法。
【請求項３０】
前記フィードバックは、また、ダウンリンク（ＤＬ）ＣｏＭＰグループに含めるためのセルを示す、請求項２９に記載の方法。
【請求項３１】
前記送信は、複数のセルからのパスロス（ＰＬ）を示す前記ＵＥからのフィードバックを備え、各セルに対する前記ＰＬは、前記複数のセルから送信されたチャネル状態情報基準信号（ＣＳＩ−ＲＳ）に基づいて計算される、請求項２７に記載の方法。
【請求項３２】
異なるセルに対する送信電力における差は、前記ＣｏＭＰグループに含めるためのセルを決定するときに考慮される、請求項３１に記載の方法。
【請求項３３】
ワイヤレス通信のための装置であって、
送信をＵＥから受信するための手段と、
前記受信された送信に基づいて、セル間協調（ＣｏＭＰ）グループに含めるために１つまたは複数のセルを決定するための手段と
を備え、
前記送信は、サウンディング基準信号（ＳＲＳ）を備え、前記決定は、異なるセルにおける前記ＳＲＳの受信された信号強度に基づいて行われる、装置。
【請求項３４】
最強の前記受信された信号強度を有するセルは、前記ＣｏＭＰグループに含まれる、請求項３３に記載の装置。
【請求項３５】
前記送信は、前記ＣｏＭＰグループに含めるためのセルを示す前記ＵＥからのフィードバックを備え、前記ＵＥは、前記示されるセルを、複数のセルから送信されたチャネル状態情報基準信号（ＣＳＩ−ＲＳ）に基づいて選択する、請求項３３に記載の装置。
【請求項３６】
前記フィードバックは、また、ダウンリンク（ＤＬ）ＣｏＭＰグループに含めるためのセルを示す、請求項３５に記載の装置。
【請求項３７】
前記送信は、複数のセルからのパスロス（ＰＬ）を示す前記ＵＥからのフィードバックを備え、各セルに対する前記ＰＬが、前記複数のセルから送信されたチャネル状態情報基準信号（ＣＳＩ−ＲＳ）に基づいて計算される、請求項３３に記載の装置。
【請求項３８】
異なるセルに対する送信電力における差は、前記ＣｏＭＰグループに含めるためのセルを決定するときに考慮される、請求項３７に記載の装置。
【請求項３９】
ワイヤレス通信のための装置であって、
送信をＵＥから受信し、
前記受信された送信に基づいて、セル間協調（ＣｏＭＰ）グループに含めるために１つまたは複数のセルを決定する
ように構成された少なくとも１つのプロセッサと、
前記少なくとも１つのプロセッサに結合されたメモリと
を備え、
前記送信は、サウンディング基準信号（ＳＲＳ）を備え、前記決定は、異なるセルにおける前記ＳＲＳの受信された信号強度に基づいて行われる、装置。
【請求項４０】
ワイヤレス通信のためのコンピュータプログラムであって、
送信をＵＥから受信し、
前記受信された送信に基づいて、セル間協調（ＣｏＭＰ）グループに含めるために１つまたは複数のセルを決定する
ことを少なくとも１つのプロセッサに行わせるためのコードを備え、
前記送信は、サウンディング基準信号（ＳＲＳ）を備え、前記決定は、異なるセルにおける前記ＳＲＳの受信された信号強度に基づいて行われる、コンピュータプログラム。
【請求項４１】
ユーザ機器によるワイヤレス通信のための方法であって、
複数のセルから送信される固有のチャネル状態情報基準信号（ＣＳＩ−ＲＳ）を受信することと、
アップリンク（ＵＬ）セル間協調（ＣｏＭＰ）グループに含めるために１つまたは複数のセルを決定する際に使用するためのフィードバックを、前記受信されたＣＳＩ−ＲＳに基づいて送信することと
を備える、方法。
【請求項４２】
前記フィードバックは、前記ＵＬ  ＣｏＭＰグループに含めるためのセルを示す、請求項４１に記載の方法。
【請求項４３】
前記フィードバックは、また、ダウンリンク（ＤＬ）ＣｏＭＰグループに含めるためのセルを示す、請求項４２に記載の方法。
【請求項４４】
前記フィードバックは、前記複数のセルからのパスロス（ＰＬ）を示す、請求項４１に記載の方法。
【請求項４５】
ワイヤレス通信のための装置であって、
複数のセルから送信される固有のチャネル状態情報基準信号（ＣＳＩ−ＲＳ）を受信するための手段と、
アップリンク（ＵＬ）セル間協調（ＣｏＭＰ）グループに含めるために１つまたは複数のセルを決定する際に使用するためのフィードバックを、前記受信されたＣＳＩ−ＲＳに基づいて送信するための手段と
を備える、装置。
【請求項４６】
前記フィードバックは、前記ＵＬ  ＣｏＭＰグループに含めるためのセルを示す、請求項４５に記載の装置。
【請求項４７】
前記フィードバックは、また、ダウンリンク（ＤＬ）ＣｏＭＰグループに含めるためのセルを示す、請求項４６に記載の装置。
【請求項４８】
前記フィードバックは、前記複数のセルからのパスロス（ＰＬ）を示す、請求項４５に記載の装置。
【請求項４９】
ワイヤレス通信のための装置であって、
複数のセルから送信される固有のチャネル状態情報基準信号（ＣＳＩ−ＲＳ）を受信し、
アップリンク（ＵＬ）セル間協調（ＣｏＭＰ）グループに含めるために１つまたは複数のセルを決定する際に使用するためのフィードバックを、前記受信されたＣＳＩ−ＲＳに基づいて送信する
ように構成された少なくとも１つのプロセッサと、
前記少なくとも１つのプロセッサに結合されたメモリと
を備える、装置。
【請求項５０】
ワイヤレス通信のためのコンピュータプログラムであって、
複数のセルから送信される固有のチャネル状態情報基準信号（ＣＳＩ−ＲＳ）を受信し、
アップリンク（ＵＬ）セル間協調（ＣｏＭＰ）グループに含めるために１つまたは複数のセルを決定する際に使用するためのフィードバックを、前記受信されたＣＳＩ−ＲＳに基づいて送信する
ことを少なくとも１つのプロセッサに行わせるためのコードを備える、コンピュータプログラム。
【請求項５１】
基地局（ＢＳ）によるワイヤレス通信のための方法であって、
共通の物理セル識別子（ＰＣＩ）を前記基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定することと、
前記ＣＳＩ−ＲＳを前記基地局から送信することと
を備える、方法。
【請求項５２】
前記ＣＳＩ−ＲＳの構成は、少なくともＣＳＩ−ＲＳシーケンスと周波数ロケーションとを備える、請求項５１に記載の方法。
【請求項５３】
ワイヤレス通信のための装置であって、
共通の物理セル識別子（ＰＣＩ）を前記装置と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定するための手段と、
前記ＣＳＩ−ＲＳを前記装置から送信するための手段と
を備える、装置。
【請求項５４】
前記ＣＳＩ−ＲＳの構成は、少なくともＣＳＩ−ＲＳシーケンスと周波数ロケーションとを備える、請求項５３に記載の装置。
【請求項５５】
ワイヤレス通信のための装置であって、
共通の物理セル識別子（ＰＣＩ）を前記装置と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定し、
前記ＣＳＩ−ＲＳを前記装置から送信する
ように構成された少なくとも１つのプロセッサと、
前記少なくとも１つのプロセッサに結合されたメモリと
を備える、装置。
【請求項５６】
ワイヤレス通信のためのコンピュータプログラムであって、
共通の物理セル識別子（ＰＣＩ）を基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定し、
前記ＣＳＩ−ＲＳを前記基地局から送信する
ことを少なくとも１つのプロセッサに行わせるためのコードを備える、コンピュータプログラム。
【請求項５７】
ユーザ機器（ＵＥ）によるワイヤレス通信のための方法であって、
共通の物理セル識別子（ＰＣＩ）を共有する複数の送信点に近接する前記ＵＥから、サウンディング基準信号（ＳＲＳ）を送信することと、
アップリンクセル間協調（ＵＬ  ＣｏＭＰ）動作のための、前記ＰＣＩから切り離されている構成に関する情報を、前記送信点のうちの少なくとも１つから受信することと
を備える、方法。
【請求項５８】
前記ＳＲＳのための構成が、少なくともルートシーケンスと、巡回シフトと、周波数ロケーションと、組合せとを備える、請求項５７に記載の方法。
【請求項５９】
ワイヤレス通信のための装置であって、
共通の物理セル識別子（ＰＣＩ）を共有する複数の送信点に近接する前記装置から、サウンディング基準信号（ＳＲＳ）を送信するための手段と、
アップリンクセル間協調（ＵＬ  ＣｏＭＰ）動作のための、前記ＰＣＩから切り離されている構成に関する情報を、前記送信点のうちの少なくとも１つから受信するための手段と
を備える、装置。
【請求項６０】
前記ＳＲＳのための構成は、少なくともルートシーケンスと、巡回シフトと、周波数ロケーションと、組合せとを備える、請求項５９に記載の装置。
【請求項６１】
ワイヤレス通信のための装置であって、
共通の物理セル識別子（ＰＣＩ）を共有する複数の送信点に近接する前記装置から、サウンディング基準信号（ＳＲＳ）を送信し、
アップリンクセル間協調（ＵＬ  ＣｏＭＰ）動作のための、前記ＰＣＩから切り離されている構成に関する情報を、前記送信点のうちの少なくとも１つから受信する
ように構成された少なくとも１つのプロセッサと、
前記少なくとも１つのプロセッサに結合されたメモリと
を備える、装置。
【請求項６２】
ワイヤレス通信のためのコンピュータプログラムであって、
共通の物理セル識別子（ＰＣＩ）を共有する複数の送信点に近接するＵＥから、サウンディング基準信号（ＳＲＳ）を送信し、
アップリンクセル間協調（ＵＬ  ＣｏＭＰ）動作のための、前記ＰＣＩから切り離されている構成に関する情報を、前記送信点のうちの少なくとも１つから受信する
ことを少なくとも１つのプロセッサに行わせるためのコードを備える、コンピュータプログラム。
【請求項６３】
セル間協調（ＣｏＭＰ）動作に関わる送信点によるワイヤレス通信のための方法であって、
チャネル品質指示（ＣＱＩ）送信のためのＣＱＩ構成に関して１つまたは複数のＵＥにシグナリングすること
を備え、前記シグナリングされたＣＱＩ構成は、前記送信点の物理セル識別子（ＰＣＩ）から切り離される、方法。
【請求項６４】
前記送信点は、共通のＰＣＩを、前記ＣｏＭＰ動作に関わる１つまたは複数の他の送信点と共有する、請求項６３に記載の方法。
【請求項６５】
セル間協調（ＣｏＭＰ）動作に関わるワイヤレス通信のための装置であって、
チャネル品質指示（ＣＱＩ）送信のためのＣＱＩ構成に関して１つまたは複数のＵＥにシグナリングするための手段を備え、前記シグナリングされたＣＱＩ構成は、前記装置の物理セル識別子（ＰＣＩ）から切り離される、装置。
【請求項６６】
前記装置は、共通のＰＣＩを、前記ＣｏＭＰ動作に関わる１つまたは複数の他の送信点と共有する、請求項６５に記載の装置。
【請求項６７】
セル間協調（ＣｏＭＰ）動作に関わるワイヤレス通信のための装置であって、
チャネル品質指示（ＣＱＩ）送信のためのＣＱＩ構成に関して１つまたは複数のＵＥをシグナリングし、前記シグナリングされたＣＱＩ構成が前記装置の物理セル識別子（ＰＣＩ）から切り離される
ように構成される、少なくとも１つのプロセッサと、
前記少なくとも１つのプロセッサに結合されたメモリと
を備える、装置。
【請求項６８】
セル間協調（ＣｏＭＰ）動作に関わる送信点によるワイヤレス通信のためのコンピュータプログラムであって、
チャネル品質指示（ＣＱＩ）送信のためのＣＱＩ構成に関して１つまたは複数のＵＥにシグナリングし、前記シグナリングされたＣＱＩ構成が前記送信点の物理セル識別子（ＰＣＩ）から切り離される、
ことを少なくとも１つのプロセッサに行わせるためのコードを備える、コンピュータプログラム。
【請求項６９】
ユーザ機器（ＵＥ）によるワイヤレス通信のための方法であって、
物理アップリンク制御チャネル（ＰＵＣＣＨ）構成を、１つまたは複数の他の送信点とのセル間協調（ＣｏＭＰ）動作に参加している第１の送信点から受信することと、
ＰＵＣＣＨを、前記ＰＵＣＣＨ構成による１つまたは複数の送信点の第１のセットに送信することと、
物理アップリンク共有チャネル（ＰＵＳＣＨ）を、送信点の前記第１のセットとは異なる１つまたは複数の送信点の第２のセットに送信することと
を備える、方法。
【請求項７０】
ワイヤレス通信のための装置であって、
物理アップリンク制御チャネル（ＰＵＣＣＨ）構成を、１つまたは複数の他の送信点とのセル間協調（ＣｏＭＰ）動作に参加している第１の送信点から受信するための手段と、
ＰＵＣＣＨを、前記ＰＵＣＣＨ構成による１つまたは複数の送信点の第１のセットに送信するための手段と、
物理アップリンク共有チャネル（ＰＵＳＣＨ）を、送信点の前記第１のセットとは異なる１つまたは複数の送信点の第２のセットに送信するための手段と
を備える、装置。
【請求項７１】
ユーザ機器（ＵＥ）によるワイヤレス通信のための装置であって、
物理アップリンク制御チャネル（ＰＵＣＣＨ）構成を、１つまたは複数の他の送信点とのセル間協調（ＣｏＭＰ）動作に参加している第１の送信点から受信し、
ＰＵＣＣＨを、前記ＰＵＣＣＨ構成による１つまたは複数の送信点の第１のセットに送信し、
物理アップリンク共有チャネル（ＰＵＳＣＨ）を、送信点の前記第１のセットとは異なる１つまたは複数の送信点の第２のセットに送信する
ように構成された少なくとも１つのプロセッサと、
前記少なくとも１つのプロセッサに結合されたメモリと
を備える、装置。
【請求項７２】
ユーザ機器（ＵＥ）によるワイヤレス通信のためのコンピュータプログラムであって、
物理アップリンク制御チャネル（ＰＵＣＣＨ）構成を、１つまたは複数の他の送信点とのセル間協調（ＣｏＭＰ）動作に参加している第１の送信点から受信し、
ＰＵＣＣＨを、前記ＰＵＣＣＨ構成による１つまたは複数の送信点の第１のセットに送信し、
物理アップリンク共有チャネル（ＰＵＳＣＨ）を、送信点の前記第１のセットとは異なる１つまたは複数の送信点の第２のセットに送信する
ことを少なくとも１つのプロセッサに行わせるためのコードを備える、コンピュータプログラム。
【請求項７３】
ユーザ機器（ＵＥ）によるワイヤレス通信のための方法であって、
前記ＵＥとのセル間協調（ＣｏＭＰ）動作に関わる１つまたは複数の送信点の第１のセットからのダウンリンク送信に対して、チャネル品質指示（ＣＱＩ）情報を生成することと、
前記ＣＱＩ情報を、前記ＵＥとのＣｏＭＰ動作に関わる送信点の第２のセットに送信することと
を備える、方法。
【請求項７４】
ワイヤレス通信のための装置であって、
前記装置とのセル間協調（ＣｏＭＰ）動作に関わる１つまたは複数の送信点の第１のセットからのダウンリンク送信に対して、チャネル品質指示（ＣＱＩ）情報を生成するための手段と、
前記ＣＱＩ情報を、前記装置とのＣｏＭＰ動作に関わる送信点の第２のセットに送信するための手段と
を備える、装置。
【請求項７５】
ワイヤレス通信のための装置であって、
前記装置とのセル間協調（ＣｏＭＰ）動作に関わる１つまたは複数の送信点の第１のセットからのダウンリンク送信に対して、チャネル品質指示（ＣＱＩ）情報を生成し、
前記ＣＱＩ情報を、前記装置とのＣｏＭＰ動作に関わる送信点の第２のセットに送信する
ように構成された少なくとも１つのプロセッサと、
前記少なくとも１つのプロセッサに結合されたメモリと
を備える、装置。
【請求項７６】
ワイヤレス通信のためのコンピュータプログラムであって、
ＵＥとのセル間協調（ＣｏＭＰ）動作に関わる１つまたは複数の送信点の第１のセットからのダウンリンク送信に対して、チャネル品質指示（ＣＱＩ）情報を生成し、
前記ＣＱＩ情報を、前記ＵＥとのＣｏＭＰ動作に関わる送信点の第２のセットに送信する
ことを少なくとも１つのプロセッサに行わせるためのコードを備える、コンピュータプログラム。
【発明の詳細な説明】
【関連出願】
【０００１】
米国特許法第１１９条に基づく優先権の主張  
本特許出願は、本出願の譲受人に譲渡され、参照により本明細書に明確に組み込まれる、２０１１年２月１４日に出願された「POWER CONTROL AND USER MULTIPLEXING HETNET COMP」と題する仮出願第６１／４４２，６５０号の優先権を主張する。
【技術分野】
【０００２】
本開示のいくつかの態様は、一般に、ワイヤレス通信に関し、より詳細には、異種ネットワーク（ＨｅｔＮｅｔ）におけるセル間協調（ＣｏＭＰ）送信および受信のための電力制御およびユーザ多重化のための技法に関する。
【背景技術】
【０００３】
ワイヤレス通信ネットワークは、ボイス、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークとすることができる。そのような多元接続ネットワークの例には、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
ワイヤレス通信ネットワークは、いくつかのユーザ機器（ＵＥ）の通信をサポートすることができるいくつかの基地局（ＢＳ）を含むことができる。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【０００５】
基地局は、ＵＥにダウンリンク上でデータおよび制御情報を送信し得、および／またはＵＥからアップリンク上でデータおよび制御情報を受信し得る。ダウンリンク上では、基地局からの送信では、隣接基地局からの送信により干渉を認める可能性がある。アップリンク上では、ＵＥからの送信は、隣接基地局と通信する他のＵＥからの送信に対して干渉を引き起こす可能性がある。干渉は、ダウンリンクとアップリンクで共に性能を劣化させるおそれがある。
【発明の概要】
【０００６】
本開示の一態様では、ワイヤレス通信のための方法が提供される。
【０００７】
本開示のいくつかの態様は、ユーザ機器（ＵＥ）によるワイヤレス通信のための技法を提供する。本技法は、一般に、ＵＥとのセル間協調（ＣｏＭＰ）動作に関わる送信点のセットのうちの少なくとも１つから送信されたチャネル状態情報基準信号（ＣＳＩ−ＲＳ）を測定することと、送信点のうちの少なくとも１つから、測定されたＣＳＩ−ＲＳに基づいて開ループ電力制御を実行することとを含む。
【０００８】
本開示のいくつかの態様は、基地局によるワイヤレス通信のための技法を提供する。本技法は、セル間協調（ＣｏＭＰ）動作を考慮に入れるように決定される１つまたは複数のパラメータを、開ループ（ＯＬ）電力制御においてユーザ機器（ＵＥ）による使用のために決定することと、１つまたは複数のパラメータをＵＥにシグナリングすることとを含む。
【０００９】
本開示のいくつかの態様は、基地局によるワイヤレス通信のための技法を提供する。本技法は、送信をＵＥから受信することと、受信した送信に基づいてセル間協調（ＣｏＭＰ）グループに含めるために１つまたは複数のセルを決定することとを含む。
【００１０】
本開示のいくつかの態様は、ユーザ機器によるワイヤレス通信のための技法を提供する。本技法は、複数のセルから送信された固有のチャネル状態情報基準信号（ＣＳＩ−ＲＳ）を受信することと、アップリンク（ＵＬ）のセル間協調（ＣｏＭＰ）グループに含めるために１つまたは複数のセルを決定するために使用され得るフィードバックを、受信したＣＳＩ−ＲＳに基づいて送信することとを含む。
【００１１】
本開示のいくつかの態様は、基地局によるワイヤレス通信のための技法を提供する。本技法は、共通の物理セル識別子（ＰＣＩ）を基地局と共有する１つまたは複数の他の送信点によって送信されたＣＳＩ−ＲＳとは異なり、ＰＣＩから切り離されている、チャネル状態情報基準信号（ＣＳＩ−ＲＳ）を決定することと、ＣＳＩ−ＲＳを基地局から送信することとを含む。
【００１２】
本開示のいくつかの態様は、ユーザ機器によるワイヤレス通信のための技法を提供する。本技法は、共通の物理セル識別子（ＰＣＩ）を共有する複数の送信点に近接するＵＥからサウンディング基準信号（ＳＲＳ）を送信することと、アップリンクセル間協調（ＵＬ  ＣｏＭＰ）動作のための、ＰＣＩから切り離されている構成に関する情報を、送信点のうちの少なくとも１つから受信することとを含む。
【００１３】
本開示のいくつかの態様は、ＣｏＭＰ動作に関わる送信点によるワイヤレス通信のための技法を提供する。本技法は、チャネル品質指示（ＣＱＩ）送信のためのＣＱＩ構成に関して１つまたは複数のＵＥにシグナリングすることを含み、シグナリングされたＣＱＩ構成は、送信点の物理セル識別子（ＰＣＩ）から切り離される。
【００１４】
本開示の様々な態様および特徴について以下でさらに詳細に説明する。
【図面の簡単な説明】
【００１５】
【図１】本開示のいくつかの態様による、ワイヤレス通信ネットワークの一例を概念的に示すブロック図。
【図２】本開示のいくつかの態様による、ワイヤレス通信ネットワークにおけるフレーム構造の一例を概念的に示すブロック図。
【図２Ａ】本開示のいくつかの態様による、ロングタームエボリューション（ＬＴＥ）におけるアップリンクのための例示的なフォーマットを示す図。
【図３】本開示のいくつかの態様による、ワイヤレス通信ネットワーク内のユーザ機器デバイス（ＵＥ）と通信するノードＢの一例を概念的に示すブロック図。
【図４】本開示のいくつかの態様による、例示的な異種ネットワーク（ＨｅｔＮｅｔ）を示す図。
【図５】本開示のいくつかの態様による、異種ネットワークにおける例示的なリソース区分を示す図。
【図６】本開示のいくつかの態様による、異種ネットワークにおけるサブフレームの例示的な協働区分を示す図。
【図７】異種ネットワーク中の、レンジ拡張されたセルラー領域を示す図。
【図８】本開示のいくつかの態様による、マクロｅＮＢとリモートラジオヘッド（ＲＲＨ）とを有するネットワークを示す図。
【図９】本開示のいくつかの態様による、マクロセルだけが共通基準信号（ＣＲＳ）を送信するＨｅｔＮｅｔ  ＣｏＭＰのための例示的なシナリオを示す図。
【図１０】本開示のいくつかの態様による、アップリンク電力制御のために基地局において実行される例示的な動作１０００を示す図。
【図１０Ａ】本開示のいくつかの態様による、図１０に示す動作を実行可能な例示的なコンポーネントを示す図。
【図１１】本開示のいくつかの態様による、アップリンク電力制御がすぐ近くのＲＲＨを妨害することを回避するために、ＵＥによって実行される例示的な動作を示す図。
【図１１Ａ】本開示のいくつかの態様による、図１１に示す動作を実行可能な例示的なコンポーネントを示す図。
【図１２】本開示のいくつかの態様による、マクロセルとピコセルの両方が同じＣＲＳを送信するＨｅｔＮｅｔ  ＣｏＭＰのための例示的なシナリオを示す図。
【図１３】本開示のいくつかの態様による、ＤＬ  ＣｏＭＰに関連付けられたセルをグルーピングするために、基地局によって実行される例示的な動作を示す図。
【図１３Ａ】本開示のいくつかの態様による、図１３に示す動作を実行可能な例示的なコンポーネントを示す図。
【図１４】本開示のいくつかの態様による、ＵＬ  ＣｏＭＰに関連付けられたセルをグルーピングするために、ＵＥによって実行される例示的な動作を示す図。
【図１４Ａ】本開示のいくつかの態様による、図１４に示す動作を実行可能な例示的なコンポーネントを示す図。
【図１５】本開示の特定の態様による、ＣｏＭＰに関連付けられたセルをグルーピングするために、ＵＥによって実行される例示的な動作を示す図。
【図１５Ａ】本開示のいくつかの態様による、図１５に示す動作を実行可能な例示的なコンポーネントを示す図。
【図１６】本開示のいくつかの態様による、ＵＬ  ＣｏＭＰに関連付けられたセルをグルーピングするために、基地局によって実行される例示的な動作を示す図。
【図１６Ａ】本開示のいくつかの態様による、図１６に示す動作を実行可能な例示的なコンポーネントを示す図。
【図１７】本開示のいくつかの態様による、ＣｏＭＰ動作に関わる送信点による、例示的な動作を示す図。
【図１７Ａ】本開示のいくつかの態様による、図１７に示す動作を実行可能な例示的なコンポーネントを示す図。
【図１８】本開示のいくつかの態様による、ＣｏＭＰ動作に関わる送信点による、例示的な動作を示す図。
【図１８Ａ】本開示のいくつかの態様による、図１８に示す動作を実行可能な例示的なコンポーネントを示す図。
【図１９】本開示のいくつかの態様による、ＣｏＭＰ動作に関わるＵＥによって実行される例示的な動作を示す図。
【図１９Ａ】本開示のいくつかの態様による、図１９に示す動作を実行可能な例示的なコンポーネントを示す図。
【発明を実施するための形態】
【００１６】
本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークに使用できる。「ネットワーク」および「システム」という用語は、しばしば互換的に使用される。ＣＤＭＡネットワークは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実施することができる。ＵＴＲＡは、Ｗｉｄｅｂａｎｄ  ＣＤＭＡ（ＷＣＤＭＡ（登録商標））およびＣＤＭＡの他の変形態を含む。ＣＤＭＡ２０００は、ＩＳ−２０００、ＩＳ−９５、およびＩＳ−８５６規格をカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実施することができる。ＯＦＤＭＡネットワークは、発展型ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）などといった無線技術を実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明する技法は、上記のワイヤレスネットワークおよび無線技術、ならびに他のワイヤレスネットワークおよび無線技術に使用できる。明確にするために、本技法のいくつかの態様について以下ではＬＴＥに関して説明し、以下の説明の大部分でＬＴＥ用語を使用する。
【００１７】
例示的なワイヤレスネットワーク  
図１に、ワイヤレス通信ネットワーク１００を示し、これはＬＴＥネットワークであり得る。ワイヤレスネットワーク１００は、いくつかの発展型ノードＢ（ｅＮＢ）１１０と他のネットワークエンティティとを含み得る。ｅＮＢは、ユーザ機器デバイス（ＵＥ）と通信する局であり得、基地局、ノードＢ、アクセスポイントなどと呼ばれることもある。各ｅＮＢ  １１０は、特定の地理的エリアに対して通信カバレージを提供することができる。３ＧＰＰでは、「セル」という用語は、この用語が使用される状況に応じて、ｅＮＢのカバレージエリアおよび／またはこのカバレージエリアにサービスしているｅＮＢサブシステムを指すことがある。
【００１８】
ｅＮＢは、マクロセル、ピコセル、フェムトセル、および／または他のタイプのセルに通信カバレージを提供し得る。マクロセルは、比較的大きい地理的エリア（たとえば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（たとえば、自宅）をカバーし得、フェムトセルとの関連を有するＵＥ（たとえば、限定加入者グループ（ＣＳＧ：Closed Subscriber Group）中のＵＥ、自宅内のユーザのためのＵＥなど）による限定アクセスを可能にし得る。マクロセルのためのｅＮＢをマクロｅＮＢと称することができる（すなわちマクロセル基地局）。ピコセルのためのｅＮＢをピコｅＮＢと称することができる（すなわちピコ基地局）。フェムトセルのためのｅＮＢをフェムトｅＮＢ（すなわちフェムト基地局）またはホームｅＮＢと呼ぶ。図１に示す例では、ｅＮＢ  １１０ａ、１１０ｂ、および１１０ｃは、それぞれマクロセル１０２ａ、１０２ｂ、および１０２ｃのためのマクロｅＮＢであり得る。ｅＮＢ  １１０ｘは、ピコセル１０２ｘのためのピコｅＮＢであり得る。ｅＮＢ  １１０ｙおよび１１０ｚは、それぞれフェムトセル１０２ｙおよび１０２ｚのためのフェムトｅＮＢであり得る。ｅＮＢは、１つまたは複数の（たとえば、３つの）セルをサポートすることができる。
【００１９】
ワイヤレスネットワーク１００はまた、中継局を含み得る。中継局は、上流局（たとえば、ｅＮＢまたはＵＥ）からデータおよび／または他の情報の送信を受信し、そのデータおよび／または他の情報の送信を下流局（たとえば、ＵＥまたはｅＮＢ）に送信する局である。中継局はまた、他のＵＥに対する送信を中継するＵＥとすることができる。図１に示す例では、中継局１１０ｒは、ｅＮＢ  １１０ａとＵＥ  １２０ｒとの間の通信を容易にするために、ｅＮＢ  １１０ａおよびＵＥ  １２０ｒと通信し得る。中継局は、リレーｅＮＢ、リレーなどと呼ばれることもある。
【００２０】
ワイヤレスネットワーク１００は、様々なタイプのｅＮＢ、たとえば、マクロｅＮＢ、ピコｅＮＢ、フェムトｅＮＢ、リレーなどを含む異種ネットワーク（ＨｅｔＮｅｔ）であり得る。これらの様々なタイプのｅＮＢは、様々な送信電力レベル、様々なカバレージエリア、およびワイヤレスネットワーク１００中の干渉に対する様々な影響を有し得る。たとえば、マクロｅＮＢは、高い送信電力レベル（たとえば、２０ワット）を有し得るが、ピコｅＮＢ、フェムトｅＮＢ、およびリレーは、より低い送信電力レベル（たとえば、１ワット）を有し得る。
【００２１】
ワイヤレスネットワーク１００は、同期動作または非同期動作をサポートし得る。同期動作の場合、ｅＮＢは同様のフレームタイミングを有し得、異なるｅＮＢからの送信は近似的に時間的に整合され得る。非同期動作の場合、ｅＮＢは異なるフレームタイミングを有し得、異なるｅＮＢからの送信は時間的に整合されないことがある。本明細書で説明する技法は、同期動作と非同期動作の両方のために使用され得る。
【００２２】
ネットワークコントローラ１３０は、ｅＮＢのセットに結合し、これらのｅＮＢの協調および制御を行い得る。ネットワークコントローラ１３０は、バックホールを介してｅＮＢ  １１０と通信し得る。ｅＮＢ  １１０はまた、たとえば、ワイヤレスバックホールまたはワイヤラインバックホールを介して直接または間接的に互いに通信し得る。
【００２３】
ＵＥ  １２０は、ワイヤレスネットワーク１００全体にわたって分散され得、各ＵＥは、固定でも移動でもよい。ＵＥはまた、端末、移動局、加入者装置、ステーションなどと称することもできる。ＵＥは、セルラー電話、携帯情報端末（ＰＤＡ）、ワイヤレスモデム、ワイヤレス通信デバイス、ハンドヘルドデバイス、ラップトップコンピュータ、コードレス電話、ワイヤレスローカルループ（ＷＬＬ）局、タブレットなどであり得る。ＵＥは、マクロｅＮＢ、ピコｅＮＢ、フェムトｅＮＢ、リレーなどと通信することが可能であり得る。図１において、両矢印付きの実線は、ダウンリンクおよび／またはアップリンク上での、ＵＥと、そのＵＥをサービスするように指定されたｅＮＢであるサービングｅＮＢとの間の所望の送信を示す。両矢印付きの破線は、ＵＥとｅＮＢとの間の干渉送信を示す。いくつかの態様に対して、ＵＥはＬＴＥ  Ｒｅｌｅａｓｅ  １０  のＵＥを含むことができる。
【００２４】
ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、システム帯域幅を、一般にトーン、ビンなどとも呼ばれる複数（Ｋ）個の直交サブキャリアに区分する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定とすることができ得、サブキャリアの総数（Ｋ）はシステム帯域幅に依存することができる。たとえば、Ｋは、１．２５、２．５、５、１０、または２０メガヘルツ（ＭＨｚ）のシステム帯域幅に対してそれぞれ１２８、２５６、５１２、１０２４、または２０４８に等しくなり得る。システム帯域幅をサブバンドに区分することもできる。たとえば、サブバンドは１．０８ＭＨｚをカバーし得、１．２５、２．５、５、１０、または２０ＭＨｚのシステム帯域幅に対してそれぞれ１つ、２つ、４つ、８つ、または１６個のサブバンドがあり得る。
【００２５】
図２に、ＬＴＥにおいて使用されるフレーム構造を示す。ダウンリンクの送信タイムラインは、無線フレームの単位に区分できる。各無線フレームは、所定の持続時間（たとえば、１０ミリ秒（ｍｓ））を有してよく、０から９のインデックスをもつ１０個のサブフレームに区分できる。各サブフレームは、２個のスロットを含み得る。したがって、各無線フレームは、０から１９のインデックスをもつ２０個のスロットを含み得る。各スロットは、Ｌ個のシンボル期間、たとえば、（図２に示すように）通常の巡回プレフィックスの場合はＬ＝７個のシンボル期間、または拡張された巡回プレフィックスの場合はＬ＝６個のシンボル期間を含むことができる。各サブフレーム中の２Ｌ個のシンボル期間には０〜２Ｌ−１のインデックスが割り当てられ得る。利用可能な時間周波数リソースはリソースブロックに区分できる。各リソースブロックは、１つのスロット中でＮ個のサブキャリア（たとえば、１２個のサブキャリア）をカバーし得る。
【００２６】
ＬＴＥでは、ｅＮＢは、ｅＮＢ中の各セルに関するプライマリ同期信号（ＰＳＳ）とセカンダリ同期信号（ＳＳＳ）とを送り得る。プライマリ同期信号およびセカンダリ同期信号は、図２に示すように、それぞれ、通常のサイクリックプレフィックスをもつ各無線フレームのサブフレーム０および５の各々中のシンボル期間６および５中で送られ得る。同期信号は、セル検出および捕捉のためにＵＥによって使用され得る。ｅＮＢは、サブフレーム０のスロット１中のシンボル期間０〜３中で物理ブロードキャストチャネル（ＰＢＣＨ）を送り得る。ＰＢＣＨはあるシステム情報を搬送し得る。
【００２７】
ｅＮＢは、図２に示すように、各サブフレームの第１のシンボル期間中に物理制御フォーマットインジケータチャネル（ＰＣＦＩＣＨ：Physical Control Format Indicator Channel）を送り得る。ＰＣＦＩＣＨは、制御チャネルのために使用されるシンボル期間の数（Ｍ）を搬送し得、Ｍは、１、２、または３に等しくなり得、サブフレームごとに変化し得る。Ｍはまた、たとえば、リソースブロックが１０個未満である、小さいシステム帯域幅では、４に等しくてもよい。ｅＮＢは、各サブフレームの最初のＭ個のシンボル期間中に物理ＨＡＲＱインジケータチャネル（ＰＨＩＣＨ：Physical HARQ Indicator Channel）と物理ダウンリンク制御チャネル（ＰＤＣＣＨ：Physical Downlink Control Channel）とを送り得る（図２に図示せず）。ＰＨＩＣＨは、ハイブリッド自動再送要求（ＨＡＲＱ：hybrid automatic repeat request）をサポートするための情報を搬送し得る。ＰＤＣＣＨは、ＵＥのためのリソース割振りに関する情報と、ダウンリンクチャネルのための制御情報とを搬送し得る。ｅＮＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信のためにスケジュールされたＵＥのためのデータを搬送し得る。ＬＴＥにおける様々な信号およびチャネルは、公開されている「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ」と題する３ＧＰＰ  ＴＳ  ３６．２１１に記載されている。
【００２８】
ｅＮＢは、ｅＮＢによって使用されるシステム帯域幅の中心１．０８ＭＨｚにおいてＰＳＳ、ＳＳＳ、およびＰＢＣＨを送り得る。ｅＮＢは、これらのチャネルが送られる各シンボル期間中のシステム帯域幅全体にわたってＰＣＦＩＣＨおよびＰＨＩＣＨを送り得る。ｅＮＢは、システム帯域幅のいくつかの部分においてＵＥのグループにＰＤＣＣＨを送り得る。ｅＮＢは、システム帯域幅の特定の部分において特定のＵＥにＰＤＳＣＨを送り得る。ｅＮＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方法でＰＤＣＣＨを送り得、また特定のＵＥにユニキャスト方法でＰＤＳＣＨを送り得る。
【００２９】
各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中で基準信号のために使用されないリソース要素は、リソース要素グループ（ＲＥＧ：resource element group）中に配置され得る。各ＲＥＧは、１つのシンボル期間中に４つのリソース要素を含み得る。ＰＣＦＩＣＨは、シンボル期間０において、周波数全体にわたってほぼ等しく離間され得る、４つのＲＥＧを占有し得る。ＰＨＩＣＨは、１つまたは複数の構成可能なシンボル期間において、周波数全体にわたって拡散され得る、３つのＲＥＧを占有し得る。たとえば、ＰＨＩＣＨのための３つのＲＥＧは、すべてシンボル期間０に属し得るか、またはシンボル期間０、１、および２に拡散され得る。ＰＤＣＣＨは、最初のＭ個のシンボル期間中に利用可能なＲＥＧから選択され得る、９個、１８個、３２個、または６４個のＲＥＧを占有し得る。ＲＥＧのいくつかの組合せのみがＰＤＣＣＨに対して可能にされ得る。
【００３０】
ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索する組合せの数は、一般に、ＰＤＣＣＨに対して可能にされた組合せの数よりも少ない。ｅＮＢは、ＵＥが探索することになる組合せのいずれかにおいてＵＥにＰＤＣＣＨを送り得る。
【００３１】
図２Ａに、ＬＴＥにおけるアップリンクのための例示的なフォーマット２００Ａを示す。アップリンクのための使用可能なリソースブロックは、データセクションと制御セクションに区分することができる。制御セクションは、システム帯域幅の２つのエッジにおいて形成され得、構成可能なサイズを有し得る。制御セクション内のリソースブロックは、制御情報を送信するためにＵＥに割り当てられ得る。データセクションは、制御セクション中に含まれないすべてのリソースブロックを含み得る。図２Ａの設計は、データセクション中の連続するサブキャリアのすべてを単一のＵＥに割り当てることを可能にし得る連続サブキャリアを含むデータセクションを生じる。
【００３２】
制御情報をｅＮＢに送信するために、ＵＥを制御セクション内のリソースブロックに割り振ることができる。ＵＥには、ｅＮＢにデータを送信するためにデータセクション中のリソースブロックも割り当てられ得る。ＵＥは、制御セクション内の割り振られたリソースブロックで物理アップリンク制御チャネル（ＰＵＣＣＨ）２１０ａ、２１０ｂにより制御情報を送信することができる。ＵＥは、データセクション中の割り当てられたリソースブロック上の物理アップリンク共有チャネル（ＰＵＳＣＨ）２２０ａ、２２０ｂ中でデータのみまたはデータと制御情報の両方を送信し得る。アップリンク送信は、サブフレームの両方のスロットにわたり得、図２Ａに示すように周波数全体にわたってホッピングし得る。
【００３３】
ＵＥは、複数のｅＮＢのカバレージ内にあり得る。そのＵＥをサービスするために、これらのｅＮＢのうちの１つが選択され得る。サービングｅＮＢは、受信電力、パスロス、信号対雑音比（ＳＮＲ）など、様々な基準に基づいて選択され得る。
【００３４】
ＵＥは、ＵＥが１つまたは複数の干渉ｅＮＢからの大きな干渉を認め得る、支配的干渉シナリオにおいて動作し得る。支配的干渉シナリオは、制限された関連付けにより発生し得る。たとえば、図１では、ＵＥ  １２０ｙは、フェムトｅＮＢ  １１０ｙに近接し得、ｅＮＢ  １１０ｙについて高い受信電力を有し得る。しかしながら、ＵＥ  １２０ｙは、制限された関連付けによりフェムトｅＮＢ  １１０ｙにアクセスすることができないことがあり、次いで、（図１に示すように）より低い受信電力をもつマクロｅＮＢ  １１０ｃまたはやはりより低い受信電力をもつフェムトｅＮＢ  １１０ｚ（図１に図示せず）に接続し得る。その場合、ＵＥ  １２０ｙは、ダウンリンク上でフェムトｅＮＢ  １１０ｙからの高い干渉を認め得、また、アップリンク上でｅＮＢ  １１０ｙに高い干渉を引き起こし得る。
【００３５】
支配的干渉シナリオはまた、範囲拡張により発生し得、これは、ＵＥが、ＵＥによって検出されたすべてのｅＮＢのうち、より低いパスロスとより低いＳＮＲとをもつｅＮＢに接続するシナリオである。たとえば、図１では、ＵＥ  １２０ｘは、マクロｅＮＢ  １１０ｂとピコｅＮＢ  １１０ｘとを検出し得、ｅＮＢ  １１０ｘについて、ｅＮＢ  １１０ｂよりも低い受信電力を有し得る。とはいえ、ｅＮＢ  １１０ｘのパスロスがマクロｅＮＢ  １１０ｂのパスロスよりも低い場合、ＵＥ  １２０ｘはピコｅＮＢ  １１０ｘに接続することが望ましいことがある。これにより、ＵＥ  １２０ｘの所与のデータレートに対してワイヤレスネットワークへの干渉が少なくなり得る。
【００３６】
一態様では、支配的干渉シナリオにおける通信は、異なるｅＮＢを異なる周波数帯域上で動作させることによってサポートされ得る。周波数帯域は、通信のために使用され得る周波数範囲であり、（ｉ）中心周波数および帯域幅、または（ｉｉ）より低い周波数およびより高い周波数によって与えられ得る。周波数帯域は、帯域、周波数チャネルなどと呼ばれることもある。異なるｅＮＢのための周波数帯域は、強いｅＮＢがそれのＵＥと通信することを可能にしながら、ＵＥが支配的干渉シナリオにおいてより弱いｅＮＢと通信することができるように選択され得る。ｅＮＢは、ＵＥにおいて受信されるｅＮＢからの信号の受信電力に基づいて（ｅＮＢの送信電力レベルには基づかずに）「弱い」ｅＮＢまたは「強い」ｅＮＢとして分類され得る。
【００３７】
図３は、図１の基地局／ｅＮＢのうちの１つであり得る基地局またはｅＮＢ  １１０および図１のＵＥのうちの１つであり得るＵＥ  １２０の設計のブロック図である。制限付き関連付けシナリオの場合、ｅＮＢ  １１０は図１のマクロｅＮＢ  １１０ｃであり得、ＵＥ  １２０はＵＥ  １２０ｙであり得る。ｅＮＢ  １１０はまた、何らかの他のタイプの基地局であり得る。ｅＮＢ  １１０は、Ｔ個のアンテナ３３４ａ〜３３４ｔを装備し得、ＵＥ  １２０は、Ｒ個のアンテナ３５２ａ〜３５２ｒを装備し得、概して、Ｔ≧１およびＲ≧１である。
【００３８】
ｅＮＢ  １１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ３２０は、データと制御情報とを処理（たとえば、符号化およびシンボルマッピング）し、データシンボルと制御シンボルとをそれぞれ取得することができる。送信プロセッサ３２０は、たとえば、ＰＳＳ、ＳＳＳ、およびセル特有の基準信号に対する基準シンボルを生成することもできる。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、Ｔ個の出力シンボルストリームをＴ個の変調器（ＭＯＤ）３３２ａ〜３３２ｔに供給し得る。各変調器３３２は、（たとえば、ＯＦＤＭなどの）それぞれの出力シンボルストリームを処理して出力サンプルストリームを取得し得る。各変調器３３２はさらに、ダウンリンク信号を取得するために、出力サンプルストリームを処理（たとえば、アナログへの変換、増幅、フィルタ処理、およびアップコンバート）することができる。変調器３３２ａ〜３３２ｔからのＴ個のダウンリンク信号は、それぞれＴ個のアンテナ３３４ａ〜３３４ｔを介して送信され得る。
【００３９】
ＵＥ  １２０において、アンテナ３５２ａ〜３５２ｒは、ｅＮＢ  １１０からダウンリンク信号を受信し得、受信信号をそれぞれ復調器（ＤＥＭＯＤ）３５４ａ〜３５４ｒに供給し得る。各復調器３５４は、それぞれの受信信号を調整（たとえば、フィルタ処理、増幅、ダウンコンバート、およびデジタル化）して、入力サンプルを得ることができる。各復調器３５４はさらに、（たとえば、ＯＦＤＭなどの）入力サンプルを処理して受信シンボルを取得し得る。ＭＩＭＯ検出器３５６は、Ｒ個の復調器３５４ａ〜３５４ｒのすべてから受信シンボルを取得し、適用可能な場合は受信シンボルに対してＭＩＭＯ検出を実行し、検出されたシンボルを供給し得る。受信プロセッサ３５８は、検出されたシンボルを処理（たとえば、復調、デインターリーブ、および復号）し、ＵＥ  １２０の復号されたデータをデータシンク３６０に与え、復号された制御情報をコントローラ／プロセッサ３８０に与え得る。
【００４０】
アップリンク上では、ＵＥ  １２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）変調器３５４ａ〜３５４ｒによって処理され、ｅＮＢ  １１０に送信され得る。ｅＮＢ  １１０において、ＵＥ  １２０からのアップリンク信号は、アンテナ３３４によって受信され、復調器３３２によって処理され、適用可能な場合はＭＩＭＯ検出器３３６によって検出され、さらに受信プロセッサ３３８によって処理されて、ＵＥ  １２０によって送られた復号されたデータおよび制御情報が取得され得る。受信プロセッサ３３８は、復号されたデータをデータシンク３３９に供給し、復号された制御情報をコントローラ／プロセッサ３４０に供給し得る。
【００４１】
コントローラ／プロセッサ３４０および３８０は、それぞれｅＮＢ  １１０における動作およびＵＥ  １２０における動作を指示し得る。ｅＮＢ  １１０におけるコントローラ／プロセッサ３４０、受信プロセッサ３３８および／または他のプロセッサとモジュールとは、本明細書で説明する技法に対する動作および／または処理を実行するかまたは指示することができる。メモリ３４２および３８２は、それぞれｅＮＢ  １１０およびＵＥ  １２０のためのデータおよびプログラムコードを記憶し得る。スケジューラ３４４は、ダウンリンク上および／またはアップリンク上でのデータ送信のためにＵＥをスケジュールし得る。
【００４２】
例示的なリソース区分  
本開示のいくつかの態様によれば、ネットワークが拡張セル間干渉協調（ｅＩＣＩＣ：enhanced inter-cell interference coordination）をサポートするとき、基地局は、干渉セルがそれのリソースの一部を断念することによって干渉を低減または解消するために、リソースを協調するために互いにネゴシエートし得る。この干渉協調によれば、ＵＥは、干渉セルによってもたらされるリソースを使用することによる厳しい干渉があってもサービングセルにアクセスすることが可能であり得る。
【００４３】
たとえば、オープンマクロセルのカバレージエリア中の、限定アクセスモードにあるフェムトセル（すなわち、メンバーフェムトＵＥだけがこのセルにアクセスすることができる）は、リソースをもたらすことおよび干渉を効果的に除去することによって、マクロセルのための「カバレージホール」（フェムトセルのカバレージエリア内に）を生成することが可能であり得る。フェムトセルがリソースをもたらすことについてネゴシエートすることによって、フェムトセルカバレージエリアの下のマクロＵＥは、これらのもたらされるリソースを使用してＵＥのサービングマクロセルにアクセスすることが依然として可能であり得る。
【００４４】
Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）など、ＯＦＤＭを使用する無線アクセスシステムでは、もたらされるリソースは、時間ベース、周波数ベース、または両方の組合せであり得る。協調リソース区分が時間ベースであるとき、干渉セルは、時間領域においてサブフレームの一部を単に使用しないことがある。協調リソース区分が周波数ベースであるとき、干渉セルは、周波数領域においてサブキャリアをもたらし得る。周波数と時間の両方の組合せによって、干渉セルは、周波数リソースおよび時間リソースをもたらし得る。
【００４５】
図４に、ｅＩＣＩＣは、実線の無線リンク４０２によって示されるように、マクロＵＥ  １２０ｙがフェムトセルｙから厳しい干渉を受けているときでも、ｅＩＣＩＣをサポートするマクロＵＥ  １２０ｙ（たとえば、図４に示すようなＲｅｌ−１０マクロＵＥ）がマクロセル１１０ｃにアクセスすることを可能にし得る例示的なシナリオを示す。破線の無線リンク４０４によって示されるように、レガシーマクロＵＥ  １２０ｕ（たとえば、図４に示すようなＲｅｌ−８マクロＵＥ）は、フェムトセル１１０ｙからの厳しい干渉下でマクロセル１１０ｃにアクセスすることができないことがある。フェムトＵＥ  １２０ｖ（たとえば、図４に示すようなＲｅｌ−８フェムトＵＥ）は、マクロセル１１０ｃからのいかなる干渉問題もなしにフェムトセル１１０ｙにアクセスし得る。
【００４６】
いくつかの態様によれば、ネットワークはｅＩＣＩＣをサポートし得、区分情報の様々なセットがあり得る。これらのセットのうちの第１のものを、半静的リソース区分情報（ＳＲＰＩ：Semi-Static Resource Partitioning information）と呼ぶことがある。これらのセットのうちの第２のものを、適応型リソース区分情報（ＡＲＰＩ：Adaptive Resource Partitioning information）と呼ぶことがある。文字通り、ＳＲＰＩは、一般に、頻繁に変化せず、ＳＲＰＩはＵＥに送られ得、したがって、ＵＥは、ＵＥ自体の動作のためにリソース区分情報を使用することができる。
【００４７】
一例として、リソース区分は、８ｍｓの周期性（８つのサブフレーム）または４０ｍｓの周期性（４０個のサブフレーム）で実施され得る。いくつかの態様によれば、周波数リソースも区分され得るように周波数分割複信（ＦＤＤ）も適用され得ると仮定され得る。（たとえば、セルノードＢからＵＥへの）ダウンリンクを介した通信の場合、区分パターンは、知られているサブフレーム（たとえば、４などの整数Ｎの倍数であるシステムフレーム番号（ＳＦＮ：system frame number）値を有する各無線フレームの第１のサブフレーム）にマッピングされ得る。そのようなマッピングは、特定のサブフレームのリソース区分情報（ＲＰＩ）を判断するために適用され得る。一例として、ダウンリンクについての（たとえば、干渉セルによってもたらされる）協調リソース区分の対象となるサブフレームは、次のインデックスによって識別され得る。
【００４８】
インデックスＳＲＰ＿ＤＬ＝（ＳＦＮ＊１０＋サブフレーム数）ｍｏｄ８
【００４９】
アップリンクについては、ＳＲＰＩマッピングは、たとえば、４ｍｓだけシフトされ得る。したがって、アップリンクについての例には、以下があり得る。
【００５０】
インデックスＳＲＰ＿ＵＬ＝（ＳＦＮ＊１０＋サブフレーム数＋４）ｍｏｄ８
【００５１】
ＳＲＰＩは、各エントリ対して以下の３つの値を使用し得る。
【００５２】
・  Ｕ（使用）：この値は、サブフレームが、このセルによって使用されるべき支配的干渉からクリーンアップされていること（すなわち、主要な干渉セルがこのサブフレームを使用しないこと）を示す。  
・  Ｎ（使用しない）：この値は、サブフレームが使用されないことを示す。  
・  Ｘ（未知）：この値は、サブフレームが静的に区分されないことを示す。基地局間のリソース使用量ネゴシエーションの詳細はＵＥには知られない。
【００５３】
ＳＲＰＩの別の可能なパラメータのセットには、以下があり得る。  
・  Ｕ（使用）：この値は、サブフレームが、このセルによって使用されるべき支配的干渉からクリーンアップされていること（すなわち、主要な干渉セルがこのサブフレームを使用しないこと）を示す。  
・  Ｎ（使用しない）：この値は、サブフレームが使用されないことを示す。  
・  Ｘ（未知）：この値は、サブフレームが静的に区分されないことを示す（基地局間のリソース使用量ネゴシエーションの詳細はＵＥには知られない）。  
・  Ｃ（共通）：この値は、すべてのセルがリソース区分なしにこのサブフレームを使用し得ることを示し得る。このサブフレームは干渉を受け得、したがって、基地局は、厳しい干渉を受けていないＵＥのためにのみこのサブフレームを使用することを選択し得る。
【００５４】
サービングセルのＳＲＰＩは、無線でブロードキャストされ得る。Ｅ−ＵＴＲＡＮでは、サービングセルのＳＲＰＩは、マスタ情報ブロック（ＭＩＢ：master information block）中でまたはシステム情報ブロック（ＳＩＢ：system information block）のうちの１つ中で送られ得る。所定のＳＲＰＩは、セル、たとえば、マクロセル、ピコセル（オープンアクセスの場合）、およびフェムトセル（限定アクセスの場合）の特性に基づいて定義され得る。そのような場合、システムオーバヘッドメッセージにおけるＳＲＰＩの符号化の結果として、無線でのブロードキャストがより効率的に行われ得る。
【００５５】
基地局はまた、ＳＩＢのうちの１つにおいてネイバーセルのＳＲＰＩをブロードキャストし得る。この場合、ＳＲＰＩは、それの対応する範囲の物理セル識別子（ＰＣＩ：physical cell identifier）を用いて送られ得る。
【００５６】
ＡＲＰＩは、ＳＲＰＩ中の「Ｘ」サブフレームについての詳細情報をもつさらなるリソース区分情報を表し得る。上記のように、「Ｘ」サブフレームについての詳細情報は、一般に、基地局のみに知られ、ＵＥはそれを知らない。
【００５７】
図５および図６に、マクロセルおよびフェムトセルを用いたシナリオにおけるＳＲＰＩ割当ての例を示す。Ｕ、Ｎ、ＸまたはＣサブフレームは、Ｕ、Ｎ、ＸまたはＣ  ＳＲＰＩ割当てに対応するサブフレームである。
【００５８】
図７は、異種ネットワーク中の、レンジ拡張されたセルラー領域を示す図７００である。ＲＲＨ  ７１０ｂなど、より低電力クラスのｅＮＢは、ＲＲＨ  ７１０ｂとマクロｅＮＢ  ７１０ａとの間の拡張セル間干渉協調を通して、かつＵＥ  ７２０によって実行される干渉消去を通して、セルラー領域７０２から拡張された、レンジ拡張されたセルラー領域７０３を有し得る。拡張セル間干渉協調において、ＲＲＨ  ７１０ｂは、マクロｅＮＢ  ７１０ａからＵＥ  ７２０の干渉状態に関する情報を受信する。この情報により、ＲＲＨ  ７１０ｂは、レンジ拡張されたセルラー領域７０３中のＵＥ  ７２０をサービスし、ＵＥ  ７２０がレンジ拡張されたセルラー領域７０３に入るとき、マクロｅＮＢ  ７１０ａからのＵＥ  ７２０のハンドオフを受け入れることができる。
【００５９】
図８は、本開示のいくつかの態様による、マクロノードといくつかのリモートラジオヘッド（ＲＲＨ）とを含むネットワーク８００を示す図である。マクロノード８０２は、光ファイバーを用いてＲＲＨ  ８０４、８０６、８０８、８１０に接続される。いくつかの態様では、ネットワーク８００は、同種ネットワークまたは異種ネットワークであってよく、ＲＲＨ  ８０４〜８１０は低電力または高電力のＲＲＨであってよい。一態様では、マクロノード８０２は、それ自体およびＲＲＨのために、セル内のすべてのスケジューリングを扱う。ＲＲＨは、マクロノード８０２と同じセル識別子（ＩＤ）によって、または異なるセルＩＤによって構成されてよい。ＲＲＨが同じセルＩＤによって構成される場合、マクロノード８０２およびＲＲＨは、マクロノード８０２によって制御される本質的に１つのセルとして動作することができる。一方、ＲＲＨおよびマクロノード８０２が異なるセルＩＤによって構成される場合、マクロノード８０２およびＲＲＨは、すべての制御およびスケジューリングは依然としてマクロノード８０２によって行われるままであるが、ＵＥにとっては異なるセルであるように見える。マクロノード８０２およびＲＲＨ  ８０４、８０６、８０８、８１０に対する処理は、必ずしもマクロノードに常駐する必要があるとは限らないことをさらに諒解されたい。その処理は、マクロおよびＲＲＨと接続されている何らかの他のネットワークデバイスまたはエンティティにおいて集中的に実行されてもよい。
【００６０】
本明細書で使用される場合、送信点／受信点（「ＴｘＰ」）という用語は、一般に、同じセルＩＤを有しても異なるセルＩＤを有してもよい少なくとも１つの中央エンティティ（たとえば、ｅＮｏｄｅＢ）によって制御される地理的に離隔された送信ノード／受信ノードを指す。
【００６１】
いくつかの態様では、ＲＲＨのそれぞれがマクロノード８０２と同じセルＩＤを共有するとき、制御情報が、マクロノード８０２から、またはマクロノード８０２と全ＲＲＨの両方からＣＲＳを使用して送信され得る。ＣＲＳは、一般的には同じリソース要素を使用して送信点のそれぞれから送信され、したがって信号は衝突する。送信点のそれぞれが同じセルＩＤを有するとき、送信点のそれぞれから送信されるＣＲＳは識別されないことがある。いくつかの態様では、ＲＲＨが異なるセルＩＤを有するとき、同じリソース要素を使用してＴｘＰのそれぞれから送信されるＣＲＳは、衝突することもあり、しないこともある。ＲＲＨが異なるセルＩＤを有し、ＣＲＳが衝突する場合でさえ、高度ＵＥは、干渉消去技法と高度受信機処理とを使用して、ＴｘＰのそれぞれから送信されるＣＲＳを識別することができる。
【００６２】
いくつかの態様では、すべての送信点が同じセルＩＤで構成され、ＣＲＳがすべての送信点から送信されるとき、適切なアンテナ仮想化が、送信しているマクロノードおよび／またはＲＲＨにおいて等しくない数の物理アンテナが存在する場合に必要となる。すなわち、ＣＲＳは、等しい数のＣＲＳアンテナポートを用いて送信されるべきである。たとえば、ノード８０２およびＲＲＨ  ８０４、８０６、８０８が、それぞれ４つの物理アンテナを有し、ＲＲＨ  ８１０が２つの物理アンテナを有する場合、ＲＲＨ  ８１０の第１のアンテナは、２つのＣＲＳポートを使用して送信するように構成され得、ＲＲＨ  ８１０の第２のアンテナは、異なる２つのＣＲＳポートを使用して送信するように構成され得る。代替として、同じ配備に対して、マクロ８０２およびＲＲＨ  ８０４、８０６、８０８は、送信点あたり４つの送信アンテナのうちの選択された２つから、２つのＣＲＳアンテナポートだけを送信することができる。これらの例に基づいて、アンテナポートの数は、物理アンテナの数に対して増加または減少されてよいことを諒解されたい。
【００６３】
上記で説明したように、すべての送信点が同じセルＩＤで構成されるとき、マクロノード８０２およびＲＲＨ  ８０４〜８１０は、すべて、ＣＲＳを送信することができる。しかしながら、マクロノード８０２だけがＣＲＳを送信する場合、自動利得制御（ＡＧＣ）問題によってＲＲＨの近くでアウテージが発生する。そのようなシナリオにおいて、マクロ８０２からのＣＲＳベースの送信は、低受信電力で受信される可能性がある一方で、すぐ近くのＲＲＨから発信した他の送信は、はるかに大きい電力で受信される可能性がある。この電力の不均衡が、前述のＡＧＣ問題につながる可能性がある。
【００６４】
要約すれば、一般的には、同じセルＩＤセットアップと異なるセルＩＤセットアップとの間の差は、制御およびレガシー問題、ならびにＣＲＳに依存する他の潜在的な動作に関連する。異なるセルＩＤを有するが衝突するＣＲＳ構成のシナリオは、同じセルＩＤセットアップとの類似点を有する可能性があり、当然ながら、衝突するＣＲＳを有する。異なるセルＩＤと衝突するＣＲＳとを有するシナリオは、一般的には、同じセルＩＤの場合に比較して、セルＩＤに依存するシステム特性／コンポーネント（たとえば、スクランブル系列など）がより容易に識別され得るという利点を有する。
【００６５】
例示的な構成が、同じかまたは異なるセルＩＤを有するマクロ／ＲＲＨセットアップに適用可能である。異なるセルＩＤの場合、ＣＲＳは衝突しているように構成され得、そのことは、同じセルＩＤの場合に類似するシナリオにつながる可能性があるが、セルＩＤに依存するシステム特性（たとえば、スクランブル系列など）が、ＵＥによってより容易に識別され得るという利点を有する。
【００６６】
いくつかの態様では、例示的なマクロ／ＲＲＨエンティティが、このマクロ／ＲＲＨセットアップの送信点内で、制御／データ送信の分離をもたらすことができる。セルＩＤが各送信点に対して同じであるとき、ＰＤＣＣＨが、マクロノード８０２から、またはマクロノード８０２とＲＲＨ  ８０４〜８１０の両方から、ＣＲＳとともに送信され得る一方で、ＰＤＳＣＨが、送信点のサブセットから、チャネル状態情報基準信号（ＣＳＩ−ＲＳ）および復調基準信号（ＤＭ−ＲＳ）とともに送信され得る。セルＩＤがいくつかの送信点に対して異なるとき、ＰＤＣＣＨが、各セルＩＤグループの中でＣＲＳとともに送信され得る。各セルＩＤグループから送信されるＣＲＳは、衝突することもあり、しないこともある。ＵＥは、同じセルＩＤを有する複数の送信点から送信されるＣＲＳを識別し得ないが、異なるセルＩＤを有する複数の送信点から送信されるＣＲＳを、（たとえば、干渉消去または類似の技法を使用して）識別することができる。
【００６７】
いくつかの態様では、すべての送信点が同じセルＩＤで構成される場合、制御／データ送信の分離によって、すべての送信点からのＣＲＳ送信に基づいて制御を送信しながら、ＵＥに認識されない、ＵＥをデータ送信のための少なくとも１つの送信点と関連付けることができる。このことで、制御チャネルを共通にしたままで、異なる送信点にわたってデータ送信のためのセル分割が可能になる。上記の「関連付け」という用語は、データ送信のために特定のＵＥに対するアンテナポートを構成することを意味する。このことは、ハンドオーバの状況において実行される関連付けとは異なる。制御は、上記で説明したように、ＣＲＳに基づいて送信され得る。制御とデータとを分離することで、ハンドオーバ処理を経る必要があることと比較して、ＵＥのデータ送信のために使用されるアンテナポートをより速やかに再構成することが可能になり得る。いくつかの態様では、送信点間フィードバックが、ＵＥアンテナポートを異なる送信点の物理アンテナに対応するように構成することによって可能になり得る。
【００６８】
いくつかの態様では、ＵＥ固有基準信号によって、この動作が（たとえば、ＬＴＥ−Ａ、Ｒｅｌ−１０以上の状況において）可能になる。ＣＳＩ−ＲＳおよびＤＭ−ＲＳは、ＬＴＥ−Ａの状況において使用される基準信号である。干渉推定が、ＣＳＩ−ＲＳミューティングに基づいて、またはＣＳＩ−ＲＳミューティングによって容易にされて、遂行され得る。同じセルＩＤセットアップの場合、制御チャネルがすべての送信点に共通であるとき、ＰＤＣＣＨ容量が制限される可能性があるので、制御容量の問題が存在する可能性がある。制御容量は、ＦＤＭ制御チャネルを使用することによって拡大され得る。リレーＰＤＣＣＨ（Ｒ−ＰＤＣＣＨ）、または拡張ＰＤＣＣＨ（ｅＰＤＣＣＨ）など、それの拡張が、ＰＤＣＣＨ制御チャネルを補足、増強、または置換するために使用され得る。
【００６９】
ＣｏＭＰのための電力制御およびユーザ多重化  
異種ネットワークセル間協調（ＨｅｔＮｅｔ  ＣｏＭＰ）ｅＮＢにわたる共同処理のために、様々な技法が検討されてきた。たとえば、マクロセルカバレージ内で、複数のリモートラジオヘッド（ＲＲＨ）が、ネットワークの容量／カバレージを拡張するために配備され得る。上記で説明したように、これらのＲＲＨは、マクロセルと同じセルＩＤを有してよく、それにより単一周波数ネットワーク（ＳＦＮ）がダウンリンク（ＤＬ）送信に対して形成される。しかしながら、多くの問題が、そのようなＨｅｔＮｅｔ  ＣｏＭＰ方式に対してアップリンク（ＵＬ）の中で遭遇される可能性がある。１つの問題は、すべてのセルに対して同じ物理セル識別子（ＰＣＩ）を用いて、唯一の共通基準信号パワースペクトル密度（ＣＲＳ  ＰＳＤ）がブロードキャストされる可能性があることである。しかしながら、ＲＲＨおよびマクロセルは、１６〜２０ｄＢの電力差を有する可能性がある。このミスマッチが、開ループ電力制御（ＯＬ  ＰＣ）における大きなエラーにつながる可能性がある。別の問題は、マクロセルだけがＣＲＳを送信し、いずれのＲＲＨもＣＲＳを送信しない場合、ＲＲＨに近いＵＥが、非常に大きなＵＬ信号を送信して、ＲＲＨの受信を妨害する可能性がある。これらの問題は、性能劣化につながる可能性がある。
【００７０】
以下の開示では、異なるＨｅｔＮｅｔ  ＣｏＭＰシナリオに対するＵＬ電力制御を改善するために、様々な方法を論じる。加えて、様々なＵＬ  ＣｏＭＰ受信機および処理オプション、ならびにＵＬチャネル構成オプションについて、同様に論じる。
【００７１】
いくつかの態様では、様々なｅＮＢ電力クラスが、ＨｅｔＮｅｔ  ＣｏＭＰにおいて定義され得る。たとえば、４６ｄＢｍ（公称）のマクロセル、３０ｄＢｍ（公称）もしくは２３および３７ｄＢｍのピコセル、３０ｄＢｍ（公称）もしくは可能であれば３７ｄＢｍ  のＲＲＨ、および２０ｄＢｍ（公称）のフェムトセル。
【００７２】
ピコセルは、一般的には、それ自体の物理セル識別子（ＰＣＩ）を有し、マクロセルとＸ２接続を有し得、自体のスケジューラ動作を有し得、かつ複数のマクロセルにリンクすることができる。ＲＲＨは、マクロセルと同じＰＣＩを有しても有さなくてもよく、マクロセルとのファイバー接続を有し得、かつそのスケジューリングをマクロセルにおいてのみ実行され得る。フェムトセルは、制限された関連付けを有し得、一般的には、ＣｏＭＰ方式を検討されない。
【００７３】
ＵＬ  ＣｏＭＰ処理  
いくつかの態様では、様々なＣｏＭＰ処理方式が、全セルまたはセルのサブセットが、ＵＬのデータ、制御およびサウンディング基準信号（ＳＲＳ）を受信するときに、定義され得る。
【００７４】
第１の態様では、マクロダイバーシティ受信が、セルのサブセットに対して定義され得る。この態様に対して、ＵＬ受信の復号に成功したセルのサブセットのいずれかが、決定をサービングセルに転送することができる。
【００７５】
第２の態様では、共同処理が、セルのサブセットからの対数尤度比（ＬＬＲ）を組み合わせることによって定義され得る。この態様では、ＬＬＲをサービングセルに移動させる必要がある。
【００７６】
第３の態様では、共同マルチユーザ検出が定義され得る。これは、ユーザのチャネルを分離するために、大きなマクロ／ＲＲＨ領域内のユーザの間で、異なる巡回シフト／ウォルシュ符号を使用することを含むことができる。一態様では、全情報が全セルの間で共有されるので、干渉消去（ＩＣ）が、全セルの間の干渉側ユーザに対して遂行され得る。別の態様では、データ分離が、空間分割多元接続ＳＤＭＡ、ＵＬ  ＭＵ−ＭＩＭＯなどによって定義され得る。
【００７７】
第４の態様では、Ｒｅｌ−１１  ＵＥのＵＬ  ＣｏＭＰが定義され得る。この態様では、ＭＩＭＯ／ビームフォーミング（ＢＦ）が、複数のアンテナから送信されるＳＲＳチャネルに基づくことができる。さらに、プリコーディング行列選択が、ＳＲＳに基づくサービングｅＮＢによって選択され得る。また、共同処理が、複数のＵＬセルから実行されてよい。一態様では、ＵＬは送信機（Ｔｘ）によって駆動されるので、コードブック設計はＵＬに対して再使用され得る。
【００７８】
ＵＬ電力制御  
いくつかの態様では、マクロセルと１つまたは複数のＲＲＨが同じＰＣＩを共有するＨｅｔＮｅｔ  ＣｏＭＰ方式に対して、２つのシナリオが存在し得る。第１のシナリオでは、マクロセルだけが、ＣＲＳ、ＰＳＳ、ＳＳＳおよび／またはＰＢＣＨを送信することができる。代替のシナリオでは、マクロとＲＲＨの両方が、ＣＲＳ、ＰＳＳ、ＳＳＳおよび／またはＰＢＣＨを送信することができる。
【００７９】
図９は、本開示のいくつかの態様による、マクロセルだけが共通基準信号（ＣＲＳ）を送信するＨｅｔＮｅｔ  ＣｏＭＰのための例示的なシナリオ９００を示す。図９の異種ネットワークは、マクロセルに関連付けられたｅＮＢ０と、ＲＲＨ１とＲＲＨ２とＲＲＨ３とを含むピコセルに関連付けられ得る複数のＲＲＨとを含む。ＲＲＨ１、ＲＲＨ２およびＲＲＨ３は、光ファイバーケーブルを介してｅＮＢ０と接続され得る。ＵＥ  １２０はｅＮＢ０ならびにＲＲＨ１、ＲＲＨ２およびＲＲＨ３と通信することができる。ｅＮＢ０はＣＲＳを送信し得るが、ＲＲＨは沈黙したままである。いくつかの態様では、ＤＬに対して、制御はマクロセルに基づくことができ、データは、すべてのセル（マクロセルとピコセルとを含む）からのＳＦＮか、またはダウンリンクのためのＵＥ−基準信号（ＲＳ）を有するセルのサブセットに基づくことができる。一方、ＵＬに対して、制御とデータの両方が、複数のセル（たとえば、ｅｎＢ０ならびに１つまたは複数のＲＲＨ）上で受信され得る。
【００８０】
いくつかの態様では、１つのセル（たとえば、ｅＮＢ０）からのＤＬ  ＣＲＳ測定値と、複数のセル（ＲＲＨ１、ＲＲＨ２およびＲＲＨ３）からのＵＬ受信との場合、ＤＬパスロス（ＰＬ）はマクロセル（ｅＮＢ０）だけからのＣＲＳに基づいてＵＥ  １２０において測定され得るので、開ループ電力制御（ＯＬ  ＰＣ）は不正確となる可能性がある。このシナリオでは、ＯＬ  ＰＣは、ＵＬがマクロセルだけによって受信される場合に正確である可能性がある。
【００８１】
様々な電力制御オプションが、この問題に対処するために定義され得る。たとえば、第１の態様では、複数の送信点によってＵＬ信号を処理することによる、ＵＬマクロダイバーシティ利得または共同処理利得を考慮に入れるために、ＵＥ  １２０からの送信電力の追加の軽減（ｂａｃｋ  ｏｆｆ）／低減が、ＯＬ  ＰＣアルゴリズムにおいて定義され得る。ＵＥの送信電力におけるこの追加の低減は、ｅＮＢ０からＵＥ  １２０に、たとえばＰ０ファクタを調整するためにシグナリングされ得る。いくつかの態様では、Ｐ０ファクタは、ランダムアクセスチャネル（ＲＡＣＨ）の低い初期送信電力を可能にするために低い値を設定されるＲＡＣＨに対して、ｅＮＢ０において目標受信電力を定義する。一態様では、Ｐ０ファクタは、ＵＥと、ＤＬ  ＣｏＭＰ動作に関わる１つまたは複数の送信点およびＵＬ  ＣｏＭＰ動作に関わる１つまたは複数の送信点との間のパスロスの間の差に基づいて、ＯＬ  ＰＣを調整するために決定および／またはシグナリングされる。一態様では、ｅＮＢはまた、ＯＬ  ＰＣにおけるＵＥによって使用され得るＤＬサービングノードとＵＬサービングノードとの間のパスロス差を表す１つまたは複数のパラメータをシグナリングすることができる。いくつかの態様では、この方法が、異なるＤＬ送信点およびＵＬ受信点を伴うＣｏＭＰ動作に適用され得る。
【００８２】
第２の態様では、閉ループ電力制御が、ＵＥ  １２０から送信されるＳＲＳに基づいて実行され得る。一態様では、ＳＲＳの共同処理が、データのために使用されるものと同じ協働セルによって遂行され得る。閉ループＰＣは、ＰＵＳＣＨとＳＲＳとの間のオフセットを有するＳＲＳのチャネル信号対雑音比（ＳＮＲ）に基づくことができる。
【００８３】
第３の態様では、低速始動ランダムアクセスチャネルＲＡＣＨ送信電力が、すぐ近くのセルを妨害しないように、定義され得る。
【００８４】
図１０は、本開示のいくつかの態様による、アップリンク電力制御のために基地局において実行される例示的な動作１０００を示す。動作１０００は、たとえば、ｅＮＢ  １１０のプロセッサ３３０および／または３４０において実行され得る。動作１０００は、１００２において、ＯＬ  ＰＣにおいてＵＥによって使用するために１つまたは複数のパラメータを決定することによるものであり、１つまたは複数のパラメータが、ＣｏＭＰ動作を考慮に入れるために決定される。１００４において、１つまたは複数のパラメータが、ＵＥに対してシグナリングされ得る。
【００８５】
上記で説明した動作１０００は、図１０の対応する機能を実行可能な任意の好適なコンポーネントまたは他の手段によって実行され得る。たとえば、図１０に示す動作１０００は、図１０Ａに示すコンポーネント１０００Ａに対応する。図１０Ａでは、パラメータ決定器１００２Ａが、ＯＬ  ＰＣにおいてＵＥ  １２０によって使用するために１つまたは複数のパラメータを決定することができる。送信機１００４Ａは、１つまたは複数のパラメータをＵＥ  １２０に送信することができる。
【００８６】
いくつかの態様では、ＵＥ  １２０がＲＲＨ（たとえば、共通のセルＩＤを有するＲＲＨ１、ＲＲＨ２およびＲＲＨ３）のすぐ近くにあるとき、ＵＥ  １２０は、ｅＮＢ０からの大きなＤＬパスロスを有するが、すぐ近くのＲＲＨに対して小さなパスロスを有する可能性がある。このシナリオでは、ＯＬ  ＰＣに基づくＵＬ送信は、ＲＲＨを妨害する可能性がある。したがって、ＣＲＳを送信しておらず、ｅＮＢ０から遠く離れている、ＲＲＨのすぐ近くのＵＥ  １２０は、非常に高い信号電力を有し、ＯＬ  ＰＣに基づいてＲＲＨを妨害する可能性がある。
【００８７】
様々な電力制御オプションが、この問題に対処するために定義され得る。第１の態様では、ＯＬ  ＰＣが、ＣＲＳの代わりにＣＳＩ−ＲＳに基づいて実行され得る。一態様では、異なるＣＳＩ−ＲＳが、各送信点から送信されてよく、ＵＥ  １２０が、最強のＣＳＩ−ＲＳに基づいてＯＬ  ＰＣを実行することができる。第２の態様では、雑音パディングが、ＲＲＨにおいて遂行され得る。いくつかの態様では、ＵＥは、送信点のセットのそれぞれに対して、ＣＳＩ−ＲＳのロケーションかまたは電力スペクトル密度（ＰＳＤ）のうちの少なくとも１つを示すシグナリングを受信することができる。一態様では、シグナリングは、システム情報ブロック（ＳＩＢ）の中のＵＥに伝達され得る。
【００８８】
図１１は、本開示のいくつかの態様による、アップリンク電力制御がすぐ近くのＲＲＨを妨害することを回避するために、ＵＥによって実行される例示的な動作１１００を示す。動作１１００は、たとえば、ＵＥ  １２０のプロセッサ３５８および／または３８０において実行され得る。動作１１００は、１１０２において、ＵＥとのＣｏＭＰ動作に関わる送信点のセットのうちの少なくとも１つから送信されるＣＳＩ−ＲＳを測定することによるものであってよい。１１０４において、ＯＬ  ＰＣは、送信点のうちの少なくとも１つから測定されたＣＳＩ−ＲＳに基づいて実行され得る。
【００８９】
動作１１００は、図１１の対応する機能を実行可能な任意の好適なコンポーネントまたは他の手段によって実行され得る。たとえば、図１１に示す動作１１００は、図１１Ａに示すコンポーネント１１００Ａに対応する。
【００９０】
図１２は、本開示のいくつかの態様による、マクロセルとピコセルの両方が同じＣＲＳを送信するＨｅｔＮｅｔ  ＣｏＭＰのための例示的なシナリオ１２００を示す。図１２の異種ネットワークは、マクロセルに関連付けられたｅＮＢ０（Ｐ０）と、ＲＲＨ１（Ｐ１）、ＲＲＨ２（Ｐ２）およびＲＲＨ３（Ｐ３）を含むピコセルに関連付けられた複数のＲＲＨとを含む。ｅＮＢ０およびＲＲＨは、ＵＥ  １２０と通信することができる。上記のように、ＲＲＨは、光ファイバーケーブルを介してｅＮＢ０と接続され得る。このシナリオでは、ｅＮＢ０とＲＲＨの両方が、同じＣＲＳを送信することができる。いくつかの態様では、ＤＬに対して、制御とデータの両方が、すべてのセルからのＳＦＮに基づくことができ、データチャネルが、ＵＥ−ＲＳを有する追加のビームフォーミングを有することができる。さらに、ＵＬに対して、制御とデータの両方が、複数のセル上で受信することができる（ＵＬ上のダイバーシティまたは共同処理）。
【００９１】
いくつかの態様では、唯一の基準信号電力スペクトル密度（ＲＳ  ＰＳＤ）レベルが、このシナリオにおいて公表され得るが、ｅｎＢ０およびＲＲＨは、異なるＲＳレベルを有することがあり、そのことが、ＲＳ電力レベルにおけるミスマッチにつながる可能性がある。すなわち、異なる送信点からのＤＬ  ＳＦＮ送信が、異なるＰＳＤレベルのＣＲＳと一緒である可能性があり、ＵＥ  １２０は、パスロス（ＰＬ）差からＣＲＳレベルを識別することができない可能性がある。たとえば、パスロスＰＬ１およびＰＬ２を有するＰ１およびＰ２に対して、ＤＬ上で受信された信号はＲ１＝Ｐ１＊ＰＬ１＋Ｐ２＊ＰＬ２であり得、ＵＬ上で受信された信号はＲ２＝Ｐ（ＰＬ１＋ＰＬ２）であり得る。したがって、測定される値は、ＤＬとＵＬとの間でレシプロカルではあり得ない。
【００９２】
異なる送信点から送信される、ＵＥ  １２０におけるＤＬ  ＲＳレベルにおけるミスマッチは、様々な方法で対処され得る。第１の態様では、すべてのセルからのＣＲＳ  ＰＳＤレベルが、同じレベルで維持されており、それによりＤＬ  ＰＬがＵＬ  ＰＬに適用され得る。しかしながら、このことは、マクロ／ピコ／ＲＲＨの電力差によって、可能性はない。
【００９３】
第２の態様では、マクロおよびＲＲＨが、異なるＰＤＣＣＨを有する異なるシステム情報ブロック１（ＳＩＢ１）を送信することができる。マクロおよびＲＲＨからのＳＩＢ１が、ＰＤＣＣＨによって示されるような異なる周波数ロケーションにおいて送信され得る。ＵＥ  １２０は、ＰＤＣＣＨとＳＩＢ１の両方を検出することができる。マクロ／ＲＲＨからのＳＩＢ１は、マクロ／ＲＲＨからのＣＲＳまたはＣＳＩ−ＲＳレベルを含むことができる。ＰＤＣＣＨおよびＳＩＢ１の信号強度から、ＵＥ  １２０は、どのセルが最強のＤＬセルであるかを決定し、最強のＤＬならびにそのＣＲＳまたはＣＳＩ−ＲＳレベルに基づいて開ループ電力制御を適用することができる。
【００９４】
第３の態様では、マクロｅＮＢ０が、そのシステム情報ブロック（ＳＩＢ）の中で２つの情報のセットを公表することができる。１つは、マクロｅｎＢ０とＲＲＨ｛ｘ０、ｘ１、ｘ２、．．．ｘｎ｝とを含むすべてのセルの位置であり、２つ目は、ＣＲＳのＰＳＤ、またはマクロｅｎＢ０と、同じ順番｛ｐ０、ｐ１、．．．、ｐｎ｝のＲＲＨを含むすべてのセルのＣＳＩ−ＲＳである。一態様では、セルの位置ならびにそれ自体のＧＰＳロケーションから、ＵＥ  １２０は、それぞれのセルからの距離を見つけ、最も近いセルまたは最小パスロスを有するセルのいずれかに対してランダムアクセスチャネル（ＲＡＣＨ）プロシージャを実行することができる。一態様では、上記のすべての情報から、および受信信号強度によって、ＵＥ  １２０は、それぞれのセルからの近似的パスロスを計算することができる。
【００９５】
いくつかの態様では、マクロｅＮＢ０およびピコＲＲＨが同じＣＲＳを送信するとき、ＤＬ  ＰＬ測定値は、すべてのセルからのＳＦＮに基づくことができる。しかしながら、ＵＬ送信は、セルのサブセットからのダイバーシティまたは共同処理にのみ基づくことができる。このことは、ＤＬとＵＬとの処理間のミスマッチにつながる可能性がある。この問題は、様々な方法で対処され得る。
【００９６】
一態様では、開ループ電力制御に基づく送信電力は、ＤＬ送信セルとＵＬ受信セルとの間の差に応じて調整され得る。
【００９７】
いくつかの態様では、ＰＬ計算は、各セルから一意であり得るＣＳＩ−ＲＳに基づくことができ、ＯＬ  ＰＣおよび閉ループＰＣは、関与しているＵＬ  ＣｏＭＰセルを考慮に入れることができる。
【００９８】
ＵＬ多重化  
いくつかの態様では、ＤＬ  ＣｏＭＰグルーピングとＵＬ  ＣｏＭＰグルーピングの両方が、チャネルの正確なサウンディングに依存することができる。マクロｅＮＢと同じＰＣＩを有するＲＲＨに対して、異なるＲＲＨからのＣＳＩ−ＲＳおよびＳＲＳについての区別は存在し得ない。いくつかの態様では、この問題に対処するために、ＣＳＩ−ＲＳとＳＲＳの両方に対して、コンフィギュレーション／スクランブリングなどが、ＲＲＨが有し得る共通ＰＣＩから分離されてよい。
【００９９】
一態様では、ＤＬ  ＣｏＭＰに対して、同じＰＣＩが異なるＲＲＨの中で使用されるときでさえも、異なるＣＳＩ−ＲＳが異なるセルから送信されてよい。図１３は、本開示のいくつかの態様による、ＤＬ  ＣｏＭＰに関連付けられたセルをグルーピングするために、基地局によって実行される例示的な動作１３００を示す。動作１３００は、たとえば、ｅＮＢ  １１０のプロセッサ３３０、３３８および／または３４０において実行され得る。
【０１００】
動作１３００は、１３０２において、共通の物理セル識別子（ＰＣＩ）を基地局と共有する１つまたは複数の他の送信点によって送信されたチャネル状態情報基準信号（ＣＳＩ−ＲＳ）とは異なり、ＰＣＩから切り離されている、ＣＳＩ−ＲＳを決定することによって開始してよい。１３０４で、ＣＳＩ−ＲＳが、基地局から送信される。いくつかの態様では、ＣＳＩ−ＲＳ構成は、ＣＳＩ−ＲＳシーケンスと周波数ロケーションとを備える。
【０１０１】
上記で説明した動作１３００は、図１３の対応する機能を実行可能な任意の好適なコンポーネントまたは他の手段によって実行され得る。たとえば、図１３に示す動作１３００は、図１３Ａに示すコンポーネント１３００Ａに対応する。図１３Ａでは、ＣＳＩ−ＲＳ決定器１３０２ＡがＣＳＩ−ＲＳを決定することができ、送信機１３０４ＡがＣＳＩ−ＲＳを送信することができる。
【０１０２】
一態様では、ＵＬ  ＣｏＭＰに対して、異なるＳＲＳが、同じＰＣＩを有するＲＲＨに近接するＵＥを含めて、異なるＵＥから送信され得る。異なるＳＲＳを受信する１つまたは複数の送信点が、１つまたは複数のＵＥによって送信されるＳＲＳに基づいて、１つのＵＥに対してＵＬ  ＣｏＭＰに対するセルのグルーピングを決定し、ＵＥに対するグルーピングを送信することができる。
【０１０３】
図１４は、本開示のいくつかの態様による、ＵＬ  ＣｏＭＰに関連付けられたセルをグルーピングするために、ＵＥによって実行される例示的な動作１４００を示す。動作１４００は、たとえば、プロセッサ３５８、３６４および／または３８０において実行され得る。
【０１０４】
動作１４００は、１４０２において、共通の物理セル識別子（ＰＣＩ）を共有する複数の送信点に近接するＵＥから、サウンディング基準信号（ＳＲＳ）を送信することによって開始され得る。１４０４において、アップリンクセル間協調（ＵＬ  ＣｏＭＰ）動作のための、ＰＣＩから切り離されている構成に関する情報が、送信点のうちの少なくとも１つから受信され得る。
【０１０５】
上記で説明した動作１４００は、図１４の対応する機能を実行可能な任意の好適なコンポーネントまたは他の手段によって実行され得る。たとえば、図１４に示す動作１４００は、図１４Ａに示すコンポーネント１４００Ａに対応する。図１４Ａでは、送信機１４０２Ａが、ＵＥ  １２０からＳＲＳを送信し、受信機１４０４Ａが、少なくとも１つのｅＮＢ  １１０からＵＬ  ＣｏＭＰに対する構成に関する情報を受信することができる。送信されるＳＲＳおよび受信されるＵＬ  ＣｏＭＰ構成は、プロセッサ３５８／３６４／３８０において処理され得る。
【０１０６】
いくつかの態様では、現在のＳＲＳ分離は、ルートシーケンス、巡回シフト、周波数ロケーション、および組合せによって与えられ、ここでルートシーケンスはＰＣＩ依存性である。一態様では、同じＰＣＩを有するＲＲＨに対して、ルートシーケンス選択が増加されてよく、複数のルートが、同じマクロ／ＲＲＨ領域内で使用され得る。
【０１０７】
いくつかの態様では、共同処理／マクロダイバーシティグループがＤＬ  ＣＳＩ−ＲＳに基づいて決定される、ＣＳＩ−ＲＳベースのＣｏＭＰグルーピングに対して、各セルは、上記のように固有のＣＳＩ−ＲＳパターン送信することができる。一態様では、ＵＥは、各セルから受信されたＣＳＩ−ＲＳの信号強度に基づいて、ＤＬ  ＣｏＭＰセルとＵＬ  ＣｏＭＰセルの両方を決定および／または選択することができる。一態様では、ＵＬ  ＣｏＭＰセルのこの選択が、サービングｅＮＢにフィードバックされ得る。代替として、ＣＳＩ−ＲＳに基づいて計算された、各セルからのＰＬが、サービングｅＮＢにフィードバックされ得、サービングｅＮＢがＵＬ  ＣｏＭＰ決定を行うことができる。また、ＵＬ  ＣｏＭＰについて決定するとき、送信電力における差をオフセットする必要があり、それによりＵＬ  ＣｏＭＰは、異なるセルからのＰＬに厳密に基づく。
【０１０８】
いくつかの態様では、共同処理／マクロダイバーシティグループがＳＲＳに基づいて決定される、ＳＲＳベースのＵＬ  ＣｏＭＰグルーピングに対して、ＵＥがＳＲＳを（上記のように）送信し得、強いＳＲＳ受信信号を有するセルの１つのグループが、ＵＬ共同処理に参加することができる。
【０１０９】
図１５は、本開示のいくつかの態様による、ＣｏＭＰに関連付けられたセルをグルーピングするために、ＵＥによって実行される例示的な動作１５００を示す。動作１５００は、たとえば、プロセッサ３５８、３６４および／または３８０において実行され得る。
【０１１０】
動作１５００は、１５０２において、複数のセルから送信された固有のＣＳＩ−ＲＳを受信することによるものである。１５０４において、ＵＬ  ＣｏＭＰグループに含めるために１つまたは複数のセルを決定するために使用され得るフィードバックが、受信ＣＳＩ−ＲＳに基づいて送信され得る。
【０１１１】
上記で説明した動作１５００は、図１５の対応する機能を実行可能な任意の好適なコンポーネントまたは他の手段によって実行され得る。たとえば、図１５に示す動作１５００は、図１５Ａに示すコンポーネント１５００Ａに対応する。図１５Ａでは、受信機１５０２Ａが、複数のセル（たとえば、ｅＮＢ  １１０）から送信されたＣＳＩ−ＲＳを受信し得、送信機１５０４Ａがフィードバックを、受信されたＣＳＩ−ＲＳに基づいて送信することができる。プロセッサ３５８／３６４／３８０は、受信されたＣＳＩ−ＲＳと、ＵＥ  １２０から送信されるフィードバックとを処理することができる。
【０１１２】
図１６は、本開示のいくつかの態様による、ＵＬ  ＣｏＭＰに関連付けられたセルをグルーピングするために、基地局によって実行される例示的な動作１６００を示す。動作１６００は、たとえば、ｅＮＢ  １１０のプロセッサ３３０、３３８および／または３４０において実行され得る。
【０１１３】
動作１６００は、１６０２において、ＵＥからの送信を受信することによるものである。１６０４において、受信された送信に基づいてＣｏＭＰグループに含めるために、１つまたは複数のセルが決定され得る。
【０１１４】
上記で説明した動作１６００は、図１６の対応する機能を実行可能な任意の好適なコンポーネントまたは他の手段によって実行され得る。たとえば、図１６に示す動作１６００は、図１６Ａに示すコンポーネント１６００Ａに対応する。図１６Ａでは、受信機１６０２Ａは、ＵＥからの送信を受信し得、ＵＬ  ＣｏＭＰグループ決定器１６０４Ａは、受信された送信に基づいてＵＬ  ＣｏＭＰグループに含めるために、１つまたは複数のセルを決定することができる。
【０１１５】
ＰＵＣＣＨ送信／受信オプション  
いくつかの態様では、局所化送信が、各自に最も近いセルに対して行われてよい。この態様は、ＰＣＩと別個のＰＵＣＣＨ構成を含むことができる。各セルは、それ自体のユーザに、チャネル品質指示（ＣＱＩ）送信のためのＣＱＩ構成についてシグナリングするためのオプションを有することができる。さらに、ＣＱＩプールは、異なるＲＲＨの間で、および同じＰＣＩを有するマクロの間でさえも、異なるＣＧＳを可能にすることによって増加され得る。
【０１１６】
図１７は、本開示のいくつかの態様による、ＣｏＭＰ動作に関わる送信点による、例示的な動作１７００を示す。動作１７００は、たとえば、ｅＮＢ  １１０のプロセッサ３３０、３３８および／または３４０において実行され得る。
【０１１７】
動作１７００は、１７０２において、１つまたは複数のＵＥによるチャネル品質指示（ＣＱＩ）送信のためのＣＱＩ構成を決定することによって開始し得る。１７０４において、１つまたは複数のＵＥは、ＣＱＩ送信のためのＣＱＩ構成をシグナリングされ得、シグナリングされたＣＱＩ構成は、送信点の物理セル識別子（ＰＣＩ）から切り離される。
【０１１８】
上記で説明した動作１７００は、図１７の対応する機能を実行可能な任意の好適なコンポーネントまたは他の手段によって実行され得る。たとえば、図１７に示す動作１７００は、図１７Ａに示すコンポーネント１７００Ａに対応する。図１７Ａでは、ＣＱＩ構成決定器１７０２Ａは、１つまたは複数のＵＥによるＣＱＩ送信のためのＣＱＩ構成を決定することができる。送信機１７０４Ａは、ＣＱＩ送信のためのＣＱＩ構成に関して１つまたは複数のＵＥにシグナリングすることができる。
【０１１９】
いくつかの態様では、送信は、複数の参加セルに対して行われてよい。この態様では、１つのアンカーセルが、ＰＵＣＣＨ構成をシグナリングする役目を果たすことができる。さらに、この態様は、データチャネル受信と分離した制御チャネル受信領域を含むことができる。たとえば、ＰＵＣＣＨに対する低減されたＣｏＭＰグループは、処理負荷を低減することができる。また、たとえば、より少ない転送により、ＰＵＳＣＨに比較して、ＰＵＣＣＨ  ＣｏＭＰグループはより大きい。
【０１２０】
図１８は、本開示のいくつかの態様による、ＣｏＭＰ動作に関わる送信点による、例示的な動作１８００を示す。動作１８００は、たとえば、ｅＮＢ  １１０のプロセッサ３３０、３３８および／または３４０において実行され得る。
【０１２１】
動作１８００は、１８０２において、１つまたは複数の他の送信点とのセル間協調（ＣｏＭＰ）動作に参加している第１の送信点から、物理アップリンク制御チャネル（ＰＵＣＣＨ）構成を受信することによるものであってよい。１８０４において、ＰＵＣＣＨは、ＰＵＣＣＨ構成による１つまたは複数の送信点の第１のセットに送信され得る。１８０６において、ＰＵＣＣＨは、送信点の第１のセットとは異なる１つまたは複数の送信点の第２のセットに送信され得る。
【０１２２】
上記で説明した動作１８００は、図１８の対応する機能を実行可能な任意の好適なコンポーネントまたは他の手段によって実行され得る。たとえば、図１８に示す動作１８００は、図１８Ａに示すコンポーネント１８００Ａに対応する。図１８Ａでは、受信機１８０２Ａは、第１の送信点から物理アップリンク制御チャネル（ＰＵＣＣＨ）構成を受信することができる。送信機１８０４Ａ／１８０６Ａは、ＰＵＣＣＨを、１つまたは複数の送信点の第１のセットに送信することができ、ＰＵＳＣＨを、１つまたは複数の送信点の第２のセットに送信することができる。
【０１２３】
いくつかの態様では、ＣＱＩコンテンツが、Ｍ個のセルからのＤＬ信号品質を報告していてもよい。ＣＱＩアップリンク送信は、Ｎ個のセルから受信され得る。この態様は、ＵＬセルセットに対してＣＱＩ構成とは別個のＣＱＩ報告ＤＬセルセットを含むことができる。
【０１２４】
図１９は、本開示のいくつかの態様による、ＣｏＭＰ動作に関わるＵＥによって実行される例示的な動作１９００を示す。動作１９００は、たとえば、プロセッサ３５８、３６４および／または３８０において実行され得る。
【０１２５】
動作１９００は、１９０２において、ＵＥとのＣｏＭＰ動作に関わる１つまたは複数の送信点の第１のセットからのダウンリンク送信に対して、ＣＱＩ情報を生成することによるものであってよい。１９０４において、ＣＱＩ情報は、ＵＥとのＣｏＭＰ動作に関わる送信点の第２のセットに送信され得る。
【０１２６】
上記で説明した動作１９００は、図１９の対応する機能を実行可能な任意の好適なコンポーネントまたは他の手段によって実行され得る。たとえば、図１９に示す動作１９００は、図１９Ａに示すコンポーネント１９００Ａに対応する。図１９Ａでは、ＣＱＩ生成器１９０２Ａは、ＵＥとのＣｏＭＰ動作に関わる１つまたは複数の送信点の第１のセットからのダウンリンク送信に対して、ＣＱＩを生成することができる。送信機１９０４Ａは、ＣＱＩ情報を、ＵＥとのＣｏＭＰ動作に関わる送信点の第２のセットに送信することができる。
【０１２７】
いくつかの態様では、マクロとＲＲＨとの間のＰＵＣＣＨの周波数分割多重（ＦＤＭ）は、内部ユーザに対して、ＰＵＣＣＨ領域内のデータをスケジュールすることができる。
【０１２８】
情報および信号は様々な異なる技術および技法のいずれかを使用して表すことができることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１２９】
さらに、本明細書の開示に関連して説明した様々な例示的な論理ブロック、モジュール、回路、およびアルゴリズムステップは、電子ハードウェア、コンピュータソフトウェア、または両方の組合せとして実施できることを、当業者は諒解されよう。ハードウェアとソフトウェアのこの互換性を明確に示すために、様々な例示的なコンポーネント、ブロック、モジュール、回路、およびステップについて、上記では概してそれらの機能に関して説明した。そのような機能をハードウェアとして実施するか、ソフトウェアとして実施するかは、特定の適用例および全体的なシステムに課される設計制約に依存する。当業者は、説明した機能を特定の適用例ごとに様々な方法で実施することができるが、そのような実施の決定は、本開示の範囲からの逸脱を生じるものと解釈すべきではない。
【０１３０】
本明細書の開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェアコンポーネント、あるいは本明細書に記載の機能を実行するように設計されたそれらの任意の組合せを用いて実施または実行できる。汎用プロセッサはマイクロプロセッサとすることができるが、代替として、プロセッサは、任意の従来のプロセッサ、コントローラ、マイクロコントローラ、または状態マシンとすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実施することもできる。
【０１３１】
本明細書の開示に関して説明した方法またはアルゴリズムのステップは、直接ハードウェアで実施するか、プロセッサによって実行されるソフトウェアモジュールで実施するか、またはその２つの組合せで実施することができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。例示的な記憶媒体は、プロセッサが記憶媒体から情報を読み取り、および／または記憶媒体に情報を書き込むことができるように、プロセッサに結合される。代替として、記憶媒体はプロセッサに一体化することができる。プロセッサおよび記憶媒体はＡＳＩＣ中に常駐することができる。ＡＳＩＣは、ユーザ端末内に常駐することができる。代替として、プロセッサおよび記憶媒体は、ユーザ端末内に個別コンポーネントとして常駐することもできる。一般に、図に示す動作がある場合、それらの動作は、同様の番号をもつ対応するカウンターパートのミーンズプラスファンクションコンポーネントを有し得る。
【０１３２】
１つまたは複数の例示的な設計では、説明した機能を、ハードウェア、ソフトウェア、ファームウェア、またはそれらの任意の組合せで実施することができる。ソフトウェアで実施する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を容易にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭ、または他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータまたは汎用もしくは専用プロセッサによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）（登録商標）およびブルーレイディスク（disc）（登録商標）を含み、ディスク（disk）は、通常、データを磁気的に再生し、ディスク（disc）は、データをレーザで光学的に再生する。上記の組合せもコンピュータ可読媒体の範囲内に含めるべきである。
【０１３３】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および設計に限定されるものではなく、本明細書で開示する原理および新規の特徴に合致する最も広い範囲を与えられるべきである。
以下に、本願出願の当初の特許請求の範囲に記載された発明を付記する。
［Ｃ１］
ユーザ機器（ＵＥ）によるワイヤレス通信のための方法であって、
前記ＵＥとのセル間協調（ＣｏＭＰ）動作に関わる送信点のセットのうちの少なくとも１つから送信されるチャネル状態情報基準信号（ＣＳＩ−ＲＳ）を測定することと、
前記送信点のうちの少なくとも１つからの前記測定されたＣＳＩ−ＲＳに基づいて開ループ電力制御を実行することとを備える、方法。
［Ｃ２］
前記送信点のセットのうちの少なくとも１つからの前記測定されたＣＳＩ−ＲＳに基づいて開ループ電力制御を実行することは、
最強の測定されたＣＳＩ−ＲＳに基づいて開ループ電力制御を実行することを備える、Ｃ１に記載の方法。
［Ｃ３］
前記送信点のセットのそれぞれから送信される前記ＣＳＩ−ＲＳは、異なる、Ｃ１に記載の方法。
［Ｃ４］
共通セルＩＤは、前記送信点のセットのそれぞれに対して使用される、Ｃ３に記載の方法。
［Ｃ５］
前記送信点のセットのそれぞれに対するＣＳＩ−ＲＳのロケーションまたは電力スペクトル密度（ＰＳＤ）のうちの少なくとも１つを示すシグナリングを受信することをさらに備える、Ｃ１に記載の方法。
［Ｃ６］
前記シグナリングは、システム情報ブロック（ＳＩＢ）の中で伝達される、Ｃ５に記載の方法。
［Ｃ７］
ワイヤレス通信のための装置であって、
前記ＵＥとのセル間協調（ＣｏＭＰ）動作に関わる送信点のセットのうちの少なくとも１つから送信されるチャネル状態情報基準信号（ＣＳＩ−ＲＳ）を測定するための手段と、
前記送信点のうちの少なくとも１つからの前記測定されたＣＳＩ−ＲＳに基づいて開ループ電力制御を実行するための手段とを備える、装置。
［Ｃ８］
前記送信点のセットのうちの少なくとも１つからの前記測定されたＣＳＩ−ＲＳに基づいて開ループ電力制御を実行するための手段は、
最強の測定されたＣＳＩ−ＲＳに基づいて開ループ電力制御を実行するように構成される、Ｃ７に記載の装置。
［Ｃ９］
前記送信点のセットのそれぞれから送信される前記ＣＳＩ−ＲＳが異なる、Ｃ７に記載の装置。
［Ｃ１０］
共通セルＩＤは、送信点の前記セットのそれぞれに対して使用される、Ｃ９に記載の装置。
［Ｃ１１］
送信点の前記セットのそれぞれに対するＣＳＩ−ＲＳのロケーションまたは電力スペクトル密度（ＰＳＤ）のうちの少なくとも１つを示すシグナリングを受信するための手段をさらに備える、Ｃ７に記載の装置。
［Ｃ１２］
前記シグナリングは、システム情報ブロック（ＳＩＢ）の中で伝達される、Ｃ１１に記載の装置。
［Ｃ１３］
ワイヤレス通信のための装置であって、
ＵＥとのセル間協調（ＣｏＭＰ）動作に関わる送信点のセットのうちの少なくとも１つから送信されるチャネル状態情報基準信号（ＣＳＩ−ＲＳ）を測定し、
前記送信点のうちの少なくとも１つからの前記測定されたＣＳＩ−ＲＳに基づいて開ループ電力制御を実行するように構成された少なくとも１つのプロセッサと、
前記少なくとも１つのプロセッサに結合されたメモリとを備える、装置。
［Ｃ１４］
ワイヤレス通信のためのコンピュータプログラム製品であって、
ＵＥとのセル間協調（ＣｏＭＰ）動作に関わる送信点のセットのうちの少なくとも１つから送信されるチャネル状態情報基準信号（ＣＳＩ−ＲＳ）を測定し、
前記送信点のうちの少なくとも１つからの前記測定されたＣＳＩ−ＲＳに基づいて開ループ電力制御を実行するためのコードを有するコンピュータ可読媒体を備える、コンピュータプログラム製品。
［Ｃ１５］
基地局によるワイヤレス通信のための方法であって、
開ループ（ＯＬ）電力制御においてユーザ機器（ＵＥ）による使用のために１つまたは複数のパラメータを決定することと、ここで、前記１つまたは複数のパラメータは、セル間協調（ＣｏＭＰ）動作を考慮に入れるように決定される、
前記１つまたは複数のパラメータを前記ＵＥにシグナリングすることとを備える、方法。
［Ｃ１６］
前記ＣｏＭＰ動作は、異なるＤＬ送信点とＵＬ受信点とを備える、Ｃ１５に記載の方法。
［Ｃ１７］
前記１つまたは複数のパラメータのうちの少なくとも１つは、ランダムアクセスチャネル（ＲＡＣＨ）の低い初期送信電力を可能にするために低い値に設定されるＲＡＣＨに対して、前記基地局において受信された目標電力を表すパラメータを備える、Ｃ１５に記載の方法。
［Ｃ１８］
前記１つまたは複数のパラメータは、前記ＵＥと、ダウンリンク（ＤＬ）ＣｏＭＰ動作に関わる１つまたは複数の送信点およびアップリンク（ＵＬ）ＣｏＭＰ動作に関わる１つまたは複数の送信点との間のパスロスの間の差に基づいて、開ループ電力制御を調整するために決定される、Ｃ１５に記載の方法。
［Ｃ１９］
前記１つまたは複数のパラメータは、ＵＬマクロダイバーシティ利得または共同処理利得のうちの少なくとも１つを考慮に入れるように決定される、Ｃ１５に記載の方法。
［Ｃ２０］
前記１つまたは複数のパラメータは、ＤＬサービングノードとＵＬサービングノードとの間のパスロス差を表すパラメータを備える、Ｃ１５に記載の方法。
［Ｃ２１］
ワイヤレス通信のための装置であって、
セル間協調（ＣｏＭＰ）動作を考慮に入れるように決定される１つまたは複数のパラメータを、開ループ（ＯＬ）電力制御においてユーザ機器（ＵＥ）による使用のために決定するための手段と、
前記１つまたは複数のパラメータを前記ＵＥにシグナリングするための手段とを備える、装置。
［Ｃ２２］
前記ＣｏＭＰ動作は、異なるＤＬ送信点とＵＬ受信点とを備える、Ｃ２１に記載の装置。
［Ｃ２３］
前記１つまたは複数のパラメータのうちの少なくとも１つは、ランダムアクセスチャネル（ＲＡＣＨ）の低い初期送信電力を可能にするために低い値に設定されるＲＡＣＨに対して、前記基地局において受信された目標電力を表すパラメータを備える、Ｃ２１に記載の装置。
［Ｃ２４］
前記１つまたは複数のパラメータは、前記ＵＥと、ダウンリンク（ＤＬ）ＣｏＭＰ動作に関わる１つまたは複数の送信点およびアップリンク（ＵＬ）ＣｏＭＰ動作に関わる１つまたは複数の送信点との間のパスロスの間の差に基づいて、開ループ電力制御を調整するために決定される、Ｃ２１に記載の装置。
［Ｃ２５］
前記１つまたは複数のパラメータは、ＵＬマクロダイバーシティ利得または共同処理利得のうちの少なくとも１つを考慮に入れるように決定される、Ｃ２１に記載の装置。
［Ｃ２６］
前記１つまたは複数のパラメータは、ＤＬサービングノードとＵＬサービングノードとの間のパスロス差を表すパラメータを備える、Ｃ２１に記載の装置。
［Ｃ２７］
ワイヤレス通信のための装置であって、
開ループ（ＯＬ）電力制御においてユーザ機器（ＵＥ）による使用のために１つまたは複数のパラメータを決定し、ここで、前記１つまたは複数のパラメータは、セル間協調（ＣｏＭＰ）動作を考慮に入れるように決定される、
前記１つまたは複数のパラメータを前記ＵＥにシグナリングするように構成された少なくとも１つのプロセッサと、
前記少なくとも１つのプロセッサに結合されたメモリとを備える、装置。
［Ｃ２８］
ワイヤレス通信のためのコンピュータプログラム製品であって、
開ループ（ＯＬ）電力制御においてユーザ機器（ＵＥ）による使用のために１つまたは複数のパラメータを決定し、ここで、前記１つまたは複数のパラメータは、セル間協調（ＣｏＭＰ）動作を考慮に入れるように決定される、
前記１つまたは複数のパラメータを前記ＵＥにシグナリングするためのコードを備えるコンピュータ可読媒体を備える、コンピュータプログラム製品。
［Ｃ２９］
基地局によるワイヤレス通信のための方法であって、
送信をＵＥから受信することと、
前記受信された送信に基づいて、セル間協調（ＣｏＭＰ）グループに含めるために１つまたは複数のセルを決定することとを備える、方法。
［Ｃ３０］
前記送信は、サウンディング基準信号（ＳＲＳ）を備え、
前記決定は、異なるセルにおける前記ＳＲＳの受信された信号強度に基づいて行われる、Ｃ２９に記載の方法。
［Ｃ３１］
最強の受信された信号強度を有するセルは、前記ＣｏＭＰグループに含まれる、Ｃ３０に記載の方法。
［Ｃ３２］
前記送信は、前記ＣｏＭＰグループに含めるためのセルを示す前記ＵＥからのフィードバックを備え、前記ＵＥは、前記示されるセルを、複数のセルから送信されたチャネル状態情報基準信号（ＣＳＩ−ＲＳ）に基づいて選択する、Ｃ２９に記載の方法。
［Ｃ３３］
前記フィードバックは、また、ダウンリンク（ＤＬ）ＣｏＭＰグループに含めるためのセルを示す、Ｃ３２に記載の方法。
［Ｃ３４］
前記送信は、複数のセルからのパスロス（ＰＬ）を示す前記ＵＥからのフィードバックを備え、各セルに対する前記ＰＬは、前記複数のセルから送信されたチャネル状態情報基準信号（ＣＳＩ−ＲＳ）に基づいて計算される、Ｃ２９に記載の方法。
［Ｃ３５］
異なるセルに対する送信電力における差は、前記ＣｏＭＰグループに含めるためのセルを決定するときに考慮される、Ｃ３４に記載の方法。
［Ｃ３６］
ワイヤレス通信のための装置であって、
送信をＵＥから受信するための手段と、
前記受信された送信に基づいて、セル間協調（ＣｏＭＰ）グループに含めるために１つまたは複数のセルを決定するための手段とを備える、装置。
［Ｃ３７］
前記送信は、サウンディング基準信号（ＳＲＳ）を備え、
前記決定は、異なるセルにおける前記ＳＲＳの受信された信号強度に基づいて行われる、Ｃ３６に記載の装置。
［Ｃ３８］
最強の前記受信された信号強度を有するセルは、前記ＣｏＭＰグループに含まれる、Ｃ３７に記載の装置。
［Ｃ３９］
前記送信は、前記ＣｏＭＰグループに含めるためのセルを示す前記ＵＥからのフィードバックを備え、前記ＵＥは、前記示されるセルを、複数のセルから送信されたチャネル状態情報基準信号（ＣＳＩ−ＲＳ）に基づいて選択する、Ｃ３６に記載の装置。
［Ｃ４０］
前記フィードバックは、また、ダウンリンク（ＤＬ）ＣｏＭＰグループに含めるためのセルを示す、Ｃ３９に記載の装置。
［Ｃ４１］
前記送信は、複数のセルからのパスロス（ＰＬ）を示す前記ＵＥからのフィードバックを備え、各セルに対する前記ＰＬが、前記複数のセルから送信されたチャネル状態情報基準信号（ＣＳＩ−ＲＳ）に基づいて計算される、Ｃ３６に記載の装置。
［Ｃ４２］
異なるセルに対する送信電力における差は、前記ＣｏＭＰグループに含めるためのセルを決定するときに考慮される、Ｃ４１に記載の装置。
［Ｃ４３］
ワイヤレス通信のための装置であって、
送信をＵＥから受信し、
前記受信された送信に基づいて、セル間協調（ＣｏＭＰ）グループに含めるために１つまたは複数のセルを決定するように構成された少なくとも１つのプロセッサと、
前記少なくとも１つのプロセッサに結合されたメモリとを備える、装置。
［Ｃ４４］
ワイヤレス通信のためのコンピュータプログラム製品であって、
送信をＵＥから受信し、
前記受信された送信に基づいて、セル間協調（ＣｏＭＰ）グループに含めるために１つまたは複数のセルを決定するためのコードを備えるコンピュータ可読媒体を備える、コンピュータプログラム製品。
［Ｃ４５］
ユーザ機器によるワイヤレス通信のための方法であって、
複数のセルから送信される固有のチャネル状態情報基準信号（ＣＳＩ−ＲＳ）を受信することと、
アップリンク（ＵＬ）セル間協調（ＣｏＭＰ）グループに含めるために１つまたは複数のセルを決定するために使用され得るフィードバックを、前記受信されたＣＳＩ−ＲＳに基づいて送信することとを備える、方法。
［Ｃ４６］
前記フィードバックは、前記ＵＬ  ＣｏＭＰグループに含めるためのセルを示す、Ｃ４５に記載の方法。
［Ｃ４７］
前記フィードバックは、また、ダウンリンク（ＤＬ）ＣｏＭＰグループに含めるためのセルを示す、Ｃ４６に記載の方法。
［Ｃ４８］
前記フィードバックは、前記複数のセルからのパスロス（ＰＬ）を示す、Ｃ４５に記載の方法。
［Ｃ４９］
ワイヤレス通信のための装置であって、
複数のセルから送信される固有のチャネル状態情報基準信号（ＣＳＩ−ＲＳ）を受信するための手段と、
アップリンク（ＵＬ）セル間協調（ＣｏＭＰ）グループに含めるために１つまたは複数のセルを決定するために使用され得るフィードバックを、前記受信されたＣＳＩ−ＲＳに基づいて送信するための手段とを備える、装置。
［Ｃ５０］
前記フィードバックは、前記ＵＬ  ＣｏＭＰグループに含めるためのセルを示す、Ｃ４９に記載の装置。
［Ｃ５１］
前記フィードバックは、また、ダウンリンク（ＤＬ）ＣｏＭＰグループに含めるためのセルを示す、Ｃ５０に記載の装置。
［Ｃ５２］
前記フィードバックは、前記複数のセルからのパスロス（ＰＬ）を示す、Ｃ４９に記載の装置。
［Ｃ５３］
ワイヤレス通信のための装置であって、
複数のセルから送信される固有のチャネル状態情報基準信号（ＣＳＩ−ＲＳ）を受信し、
アップリンク（ＵＬ）セル間協調（ＣｏＭＰ）グループに含めるために１つまたは複数のセルを決定するために使用され得るフィードバックを、前記受信されたＣＳＩ−ＲＳに基づいて送信するように構成された少なくとも１つのプロセッサと、
前記少なくとも１つのプロセッサに結合されたメモリとを備える、装置。
［Ｃ５４］
ユーザ機器によるワイヤレス通信のためのコンピュータプログラム製品であって、
複数のセルから送信される固有のチャネル状態情報基準信号（ＣＳＩ−ＲＳ）を受信し、
アップリンク（ＵＬ）セル間協調（ＣｏＭＰ）グループに含めるために１つまたは複数のセルを決定するために使用され得るフィードバックを、前記受信されたＣＳＩ−ＲＳに基づいて送信するためのコードを備えるコンピュータ可読媒体を備える、コンピュータプログラム製品。
［Ｃ５５］
基地局（ＢＳ）によるワイヤレス通信のための方法であって、
共通の物理セル識別子（ＰＣＩ）を前記基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定することと、
前記ＣＳＩ−ＲＳを前記基地局から送信することとを備える、方法。
［Ｃ５６］
前記構成は、少なくともＣＳＩ−ＲＳシーケンスと周波数ロケーションとを備える、Ｃ５５に記載の方法。
［Ｃ５７］
ワイヤレス通信のための装置であって、
共通の物理セル識別子（ＰＣＩ）を前記基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定するための手段と、
前記ＣＳＩ−ＲＳを前記基地局から送信するための手段とを備える、装置。
［Ｃ５８］
前記構成は、少なくともＣＳＩ−ＲＳシーケンスと周波数ロケーションとを備える、Ｃ５７に記載の装置。
［Ｃ５９］
ワイヤレス通信のための装置であって、
共通の物理セル識別子（ＰＣＩ）を基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定し、
前記ＣＳＩ−ＲＳを前記基地局から送信するように構成された少なくとも１つのプロセッサと、
前記少なくとも１つのプロセッサに結合されたメモリとを備える、装置。
［Ｃ６０］
ワイヤレス通信のためのコンピュータプログラム製品であって、
共通の物理セル識別子（ＰＣＩ）を基地局と共有する１つまたは複数の他の送信点によって送信されたチャネル状態情報基準信号（ＣＳＩ−ＲＳ）とは異なり、前記ＰＣＩから切り離されている、ＣＳＩ−ＲＳを決定し、
前記ＣＳＩ−ＲＳを前記基地局から送信するためのコードを備えるコンピュータ可読媒体を備える、コンピュータプログラム製品。
［Ｃ６１］
ユーザ機器（ＵＥ）によるワイヤレス通信のための方法であって、
共通の物理セル識別子（ＰＣＩ）を共有する複数の送信点に近接する前記ＵＥから、サウンディング基準信号（ＳＲＳ）を送信することと、
アップリンクセル間協調（ＵＬ  ＣｏＭＰ）動作のための、前記ＰＣＩから切り離されている構成に関する情報を、前記送信点のうちの少なくとも１つから受信することとを備える、方法。
［Ｃ６２］
前記ＳＲＳのための前記構成が、少なくともルートシーケンスと、巡回シフトと、周波数ロケーションと、組合せとを備える、Ｃ６１に記載の方法。
［Ｃ６３］
ワイヤレス通信のための装置であって、
共通の物理セル識別子（ＰＣＩ）を共有する複数の送信点に近接するＵＥから、サウンディング基準信号（ＳＲＳ）を送信するための手段と、
アップリンクセル間協調（ＵＬ  ＣｏＭＰ）動作のための、前記ＰＣＩから切り離されている構成に関する情報を、前記送信点のうちの少なくとも１つから受信するための手段とを備える、装置。
［Ｃ６４］
前記ＳＲＳのための前記構成は、少なくともルートシーケンスと、巡回シフトと、周波数ロケーションと、組合せとを備える、Ｃ６３に記載の装置。
［Ｃ６５］
ワイヤレス通信のための装置であって、
共通の物理セル識別子（ＰＣＩ）を共有する複数の送信点に近接する前記ＵＥから、サウンディング基準信号（ＳＲＳ）を送信し、
アップリンクセル間協調（ＵＬ  ＣｏＭＰ）動作のための、前記ＰＣＩから切り離されている構成に関する情報を、前記送信点のうちの少なくとも１つから受信するように構成された少なくとも１つのプロセッサと、
前記少なくとも１つのプロセッサに結合されたメモリとを備える、装置。
［Ｃ６６］
ワイヤレス通信のためのコンピュータプログラム製品であって、
共通の物理セル識別子（ＰＣＩ）を共有する複数の送信点に近接する前記ＵＥから、サウンディング基準信号（ＳＲＳ）を送信し、
アップリンクセル間協調（ＵＬ  ＣｏＭＰ）動作のための、前記ＰＣＩから切り離されている構成に関する情報を、前記送信点のうちの少なくとも１つから受信するためのコードを備えるコンピュータ可読媒体を備える、コンピュータプログラム製品。
［Ｃ６７］
セル間協調（ＣｏＭＰ）動作に関わる送信点によるワイヤレス通信のための方法であって、
チャネル品質指示（ＣＱＩ）送信のためのＣＱＩ構成に関して１つまたは複数のＵＥにシグナリングすることを備え、前記シグナリングされたＣＱＩ構成は、前記送信点の物理セル識別子（ＰＣＩ）から切り離される、方法。
［Ｃ６８］
前記送信点は、共通のＰＣＩを、前記ＣｏＭＰ動作に関わる１つまたは複数の他の送信点と共有する、Ｃ６７に記載の方法。
［Ｃ６９］
セル間協調（ＣｏＭＰ）動作に関わるワイヤレス通信のための装置であって、
チャネル品質指示（ＣＱＩ）送信のためのＣＱＩ構成に関して１つまたは複数のＵＥにシグナリングするための手段を備え、前記シグナリングされたＣＱＩ構成は、前記送信点の物理セル識別子（ＰＣＩ）から切り離される、装置。
［Ｃ７０］
前記送信点は、共通のＰＣＩを、前記ＣｏＭＰ動作に関わる１つまたは複数の他の送信点と共有する、Ｃ６９に記載の装置。
［Ｃ７１］
セル間協調（ＣｏＭＰ）動作に関わるワイヤレス通信のための装置であって、
チャネル品質指示（ＣＱＩ）送信のためのＣＱＩ構成に関して１つまたは複数のＵＥをシグナリングし、前記シグナリングされたＣＱＩ構成が送信点の物理セル識別子（ＰＣＩ）から切り離されるように構成される、少なくとも１つのプロセッサと、
前記少なくとも１つのプロセッサに結合されたメモリとを備える、装置。
［Ｃ７２］
セル間協調（ＣｏＭＰ）動作に関わる送信点によるワイヤレス通信のためのコンピュータプログラム製品であって、
チャネル品質指示（ＣＱＩ）送信のためのＣＱＩ構成に関して１つまたは複数のＵＥにシグナリングし、前記シグナリングされたＣＱＩ構成が前記送信点の物理セル識別子（ＰＣＩ）から切り離される、コードを備えるコンピュータ可読媒体を備える、コンピュータプログラム製品。
［Ｃ７３］
ユーザ機器（ＵＥ）によるワイヤレス通信のための方法であって、
物理アップリンク制御チャネル（ＰＵＣＣＨ）構成を、１つまたは複数の他の送信点とのセル間協調（ＣｏＭＰ）動作に参加している第１の送信点から受信することと、
ＰＵＣＣＨを、前記ＰＵＣＣＨ構成による１つまたは複数の送信点の第１のセットに送信することと、
物理アップリンク共有チャネル（ＰＵＳＣＨ）を、送信点の前記第１のセットとは異なる１つまたは複数の送信点の第２のセットに送信することとを備える、方法。
［Ｃ７４］
ワイヤレス通信のための装置であって、
物理アップリンク制御チャネル（ＰＵＣＣＨ）構成を、１つまたは複数の他の送信点とのセル間協調（ＣｏＭＰ）動作に参加している第１の送信点から受信するための手段と、
ＰＵＣＣＨを、前記ＰＵＣＣＨ構成による１つまたは複数の送信点の第１のセットに送信するための手段と、
物理アップリンク共有チャネル（ＰＵＳＣＨ）を、送信点の前記第１のセットとは異なる１つまたは複数の送信点の第２のセットに送信するための手段とを備える、装置。
［Ｃ７５］
ユーザ機器（ＵＥ）によるワイヤレス通信のための装置であって、
物理アップリンク制御チャネル（ＰＵＣＣＨ）構成を、１つまたは複数の他の送信点とのセル間協調（ＣｏＭＰ）動作に参加している第１の送信点から受信し、
ＰＵＣＣＨを、前記ＰＵＣＣＨ構成による１つまたは複数の送信点の第１のセットに送信し、
物理アップリンク共有チャネル（ＰＵＳＣＨ）を、送信点の前記第１のセットとは異なる１つまたは複数の送信点の第２のセットに送信するように構成された少なくとも１つのプロセッサと、
前記少なくとも１つのプロセッサに結合されたメモリとを備える、装置。
［Ｃ７６］
ユーザ機器（ＵＥ）によるワイヤレス通信のためのコンピュータプログラム製品であって、
物理アップリンク制御チャネル（ＰＵＣＣＨ）構成を、１つまたは複数の他の送信点とのセル間協調（ＣｏＭＰ）動作に参加している第１の送信点から受信し、
ＰＵＣＣＨを、前記ＰＵＣＣＨ構成による１つまたは複数の送信点の第１のセットに送信し、
物理アップリンク共有チャネル（ＰＵＳＣＨ）を、送信点の前記第１のセットとは異なる１つまたは複数の送信点の第２のセットに送信するためのコードを備えるコンピュータ可読媒体を備える、コンピュータプログラム製品。
［Ｃ７７］
ユーザ機器（ＵＥ）によるワイヤレス通信のための方法であって、
前記ＵＥとのセル間協調（ＣｏＭＰ）動作に関わる１つまたは複数の送信点の第１のセットからのダウンリンク送信に対して、チャネル品質指示（ＣＱＩ）情報を生成することと、
前記ＣＱＩ情報を、前記ＵＥとのＣｏＭＰ動作に関わる送信点の第２のセットに送信することとを備える、方法。
［Ｃ７８］
ワイヤレス通信のための装置であって、
前記ＵＥとのセル間協調（ＣｏＭＰ）動作に関わる１つまたは複数の送信点の第１のセットからのダウンリンク送信に対して、チャネル品質指示（ＣＱＩ）情報を生成するための手段と、
前記ＣＱＩ情報を、前記ＵＥとのＣｏＭＰ動作に関わる送信点の第２のセットに送信するための手段とを備える、装置。
［Ｃ７９］
ワイヤレス通信のための装置であって、
前記ＵＥとのセル間協調（ＣｏＭＰ）動作に関わる１つまたは複数の送信点の第１のセットからのダウンリンク送信に対して、チャネル品質指示（ＣＱＩ）情報を生成し、
前記ＣＱＩ情報を、前記ＵＥとのＣｏＭＰ動作に関わる送信点の第２のセットに送信するように構成された少なくとも１つのプロセッサと、
前記少なくとも１つのプロセッサに結合されたメモリとを備える、装置。
［Ｃ８０］
ワイヤレス通信のためのコンピュータプログラム製品であって、
前記ＵＥとのセル間協調（ＣｏＭＰ）動作に関わる１つまたは複数の送信点の第１のセットからのダウンリンク送信に対して、チャネル品質指示（ＣＱＩ）情報を生成し、
前記ＣＱＩ情報を、前記ＵＥとのＣｏＭＰ動作に関わる送信点の第２のセットに送信するためのコードを備えるコンピュータ可読媒体を備える、コンピュータプログラム製品。
【図１】
0005731018.tif 000002
【図２】
0005731018.tif 000003
【図２Ａ】
0005731018.tif 000004
【図３】
0005731018.tif 000005
【図４】
0005731018.tif 000006
【図５】
0005731018.tif 000007
【図６】
0005731018.tif 000008
【図７】
0005731018.tif 000009
【図８】
0005731018.tif 000010
【図９】
0005731018.tif 000011
【図１０】
0005731018.tif 000012
【図１０Ａ】
0005731018.tif 000013
【図１１】
0005731018.tif 000014
【図１１Ａ】
0005731018.tif 000015
【図１２】
0005731018.tif 000016
【図１３】
0005731018.tif 000017
【図１３Ａ】
0005731018.tif 000018
【図１４】
0005731018.tif 000019
【図１４Ａ】
0005731018.tif 000020
【図１５】
0005731018.tif 000021
【図１５Ａ】
0005731018.tif 000022
【図１６】
0005731018.tif 000023
【図１６Ａ】
0005731018.tif 000024
【図１７】
0005731018.tif 000025
【図１７Ａ】
0005731018.tif 000026
【図１８】
0005731018.tif 000027
【図１８Ａ】
0005731018.tif 000028
【図１９】
0005731018.tif 000029
【図１９Ａ】
0005731018.tif 000030